(57)【特許請求の範囲】
【請求項１】
通信システムにおけるフィードバック情報伝送方法であって、
ユーザ機器（UE）によって、ダウンリンクデータを受信するステップと、
前記UEによって、前記ダウンリンクデータに対応するフィードバック情報をフィードバックするために使用されるアップリンクサブフレームを決定し、前記アップリンクサブフレームに関連する第1のダウンリンクサブフレーム集合を決定するステップであって、前記第1のダウンリンクサブフレーム集合が、第1の部分集合および第2の部分集合を含む、ステップと、
前記UEによって、前記フィードバック情報のコードブックサイズを決定するステップであって、前記コードブックサイズが、第1のコードブックサイズまたは第2のコードブックサイズであり、前記第1のコードブックサイズが、前記第1の部分集合に含まれるダウンリンクサブフレームの量に対応し、前記第2のコードブックサイズが、前記第2の部分集合に含まれるダウンリンクサブフレームの量に対応する、ステップと、
前記コードブックサイズが前記第1のコードブックサイズである場合に、第1の符号化されたフィードバック情報を得るために、前記第1のコードブックサイズに従って前記フィードバック情報を符号化し、第1の比例係数に従って第1のシンボル量を決定し、前記第1のシンボル量が、前記第1の符号化されたフィードバック情報を物理アップリンク共有チャネル（PUSCH）にマッピングするために占有される必要があるシンボルの量であり、前記第1のシンボル量に従って前記第1の符号化されたフィードバック情報を前記PUSCHにマッピングし、前記PUSCHを使用することによって、前記第1の符号化されたフィードバック情報を前記アップリンクサブフレームで基地局に送信するステップと、
前記コードブックサイズが前記第2のコードブックサイズである場合に、第2の符号化されたフィードバック情報を得るために、前記第2のコードブックサイズに従って前記フィードバック情報を符号化し、第2の比例係数に従って第2のシンボル量を決定し、前記第2のシンボル量が、前記第2の符号化されたフィードバック情報を物理アップリンク共有チャネル（PUSCH）にマッピングするために占有される必要があるシンボルの量であり、前記第2のシンボル量に従って前記第2の符号化されたフィードバック情報を前記PUSCHにマッピングし、前記PUSCHを使用することによって、前記第2の符号化されたフィードバック情報を前記アップリンクサブフレームで基地局に送信するステップと、を含み、
前記第1の比例係数および前記第2の比例係数は、独立に構成される、方法。
【請求項２】
前記UEによって、予め構成されたルールに従って前記第1の部分集合および前記第2の部分集合を決定するステップ
をさらに含む、請求項1に記載の方法。
【請求項３】
前記UEによって、予め構成されたルールに従って前記第1の部分集合および前記第2の部分集合を決定するステップは、
キャリア番号およびサブフレーム番号の少なくとも一方に従って少なくとも1つのダウンリンクサブフレームを決定するステップを含み、前記ダウンリンクサブフレームは前記第1の部分集合および前記第2の部分集合の少なくとも一方に属する、
請求項2に記載の方法。
【請求項４】
前記少なくとも1つのダウンリンクサブフレームは、まず周波数領域キャリア番号に従って、次に時間領域サブフレーム番号に従って決定される、
請求項3に記載の方法。
【請求項５】
前記第1の部分集合内の前記ダウンリンクサブフレームの量は、ACK/NACKビット量のしきい値より大きくなく、かつ／または、
前記第2の部分集合内の前記ダウンリンクサブフレームの量は、ACK/NACKビット量のしきい値より大きい、
請求項1から4のいずれか一項に記載の方法。
【請求項６】
前記ACK/NACKビット量のしきい値は22である、
請求項5に記載の方法。
【請求項７】
前記UEによって、前記基地局によって送信された第1の指示情報を受信するステップをさらに含み、前記UEによって、前記フィードバック情報のコードブックサイズを決定する前記ステップ（S103）は、
前記第1の指示情報が前記第1のコードブックサイズを示す場合には、前記UEによって、前記フィードバック情報の前記コードブックサイズが前記第1のコードブックサイズであることを決定するステップと、
前記第1の指示情報が前記第2のコードブックサイズを示す場合には、前記UEによって、前記フィードバック情報の前記コードブックサイズが前記第2のコードブックサイズであることを決定するステップと、
を含む、請求項1から6のいずれか一項に記載の方法。
【請求項８】
前記第1の部分集合が、前記第2の部分集合の真部分集合であり、または、前記第1の部分集合は、前記第2の部分集合と部分的に重複する、
請求項7に記載の方法。
【請求項９】
通信システムにおけるフィードバック情報伝送方法であって、
基地局によって、ダウンリンクデータをユーザ機器UEに送信するステップと、
前記UEによって送信され、前記ダウンリンクデータに対応するフィードバック情報を受信するために使用されるアップリンクサブフレームを、前記基地局によって決定するステップであって、前記アップリンクサブフレームに関連する第1のダウンリンクサブフレーム集合が、第1の部分集合および第2の部分集合を含む、ステップと、
前記基地局によって、前記フィードバック情報のコードブックサイズを決定するステップであって、前記コードブックサイズが、第1のコードブックサイズまたは第2のコードブックサイズであり、前記第1のコードブックサイズが、前記第1の部分集合に含まれるダウンリンクサブフレームの量に対応し、前記第2のコードブックサイズが、前記第2の部分集合に含まれるダウンリンクサブフレームの量に対応する、ステップと、
前記フィードバック情報の前記決定されたコードブックサイズに従って前記アップリンクサブフレームで前記基地局によって、前記UEによって送信され、かつ物理アップリンク共有チャネルPUSCHにマッピングされたフィードバック情報を受信するステップと、
を含み、
前記コードブックサイズが前記第1のコードブックサイズである場合に、前記方法は、
前記基地局によって、前記UEに対して、第1のシンボル量を決定するために使用される第1の比例係数を構成し、前記基地局によって、前記第1のシンボル量および前記第1のコードブックサイズに従って、前記フィードバック情報を受信するステップをさらに含み、
前記コードブックサイズが前記第2のコードブックサイズである場合に、前記方法は、
前記基地局によって、前記UEに対して、第2のシンボル量を決定するために使用される第2の比例係数を構成し、前記基地局によって、前記第2のシンボル量および前記第2のコードブックサイズに従って、前記フィードバック情報を受信するステップをさらに含む、方法。
【請求項１０】
前記第1の部分集合内の前記ダウンリンクサブフレームの量は、ACK/NACKビット量のしきい値より大きくなく、かつ／または、
前記第2の部分集合内の前記ダウンリンクサブフレームの量は、ACK/NACKビット量のしきい値より大きい、
請求項9に記載の方法。
【請求項１１】
前記ACK/NACKビット量のしきい値は22である、
請求項10に記載の方法。
【請求項１２】
前記基地局によって、前記第1のコードブックサイズおよび前記第2のコードブックサイズを前記UEに示す第1の指示情報を送信するステップをさらに含む、
請求項9から11のいずれか一項に記載の方法。
【請求項１３】
前記第1の部分集合が、前記第2の部分集合の真部分集合であり、または、前記第1の部分集合は、前記第2の部分集合と部分的に重複する、
請求項12に記載の方法。
【請求項１４】
ユーザ機器（UE）であって、
ダウンリンクデータを受信するように構成された受信モジュールと、
処理モジュールと、を含み、前記処理モジュールは、前記ダウンリンクデータに対応するフィードバック情報をフィードバックするために使用されるアップリンクサブフレームを決定し、前記アップリンクサブフレームに関連する第1のダウンリンクサブフレーム集合を決定するように構成され、前記ダウンリンクデータは、前記受信モジュールによって受信され、前記第1のダウンリンクサブフレーム集合は、第1の部分集合および第2の部分集合を含み、
前記処理モジュールは、前記フィードバック情報のコードブックサイズを決定するようにさらに構成され、前記コードブックサイズは、第1のコードブックサイズまたは第2のコードブックサイズであり、前記第1のコードブックサイズは、前記第1の部分集合に含まれるダウンリンクサブフレームの量に対応し、前記第2のコードブックサイズは、前記第2の部分集合に含まれるダウンリンクサブフレームの量に対応し、
前記コードブックサイズが前記第1のコードブックサイズである場合に、前記処理モジュールは、さらに、第1の符号化されたフィードバック情報を得るために、前記第1のコードブックサイズに従って前記フィードバック情報を符号化し、第1の比例係数に従って第1のシンボル量を決定し、前記第1のシンボル量が、前記第1の符号化されたフィードバック情報を物理アップリンク共有チャネル（PUSCH）にマッピングするために占有される必要があるシンボルの量であり、前記第1のシンボル量に従って前記第1の符号化されたフィードバック情報を前記PUSCHにマッピングするように構成され、
前記コードブックサイズが前記第2のコードブックサイズである場合に、前記処理モジュールは、さらに、第2の符号化されたフィードバック情報を得るために、前記第2のコードブックサイズに従って前記フィードバック情報を符号化し、第2の比例係数に従って第2のシンボル量を決定し、前記第2のシンボル量が、前記第2の符号化されたフィードバック情報を物理アップリンク共有チャネル（PUSCH）にマッピングするために占有される必要があるシンボルの量であり、前記第2のシンボル量に従って前記第2の符号化されたフィードバック情報を前記PUSCHにマッピングするように構成され、
前記第1の比例係数および前記第2の比例係数は、独立に構成され、
前記符号化されたフィードバック情報を、前記PUSCHを用いて前記アップリンクサブフレームにおいて基地局に送信するように構成される送信モジュールを含む、ユーザ機器（UE）。
【請求項１５】
前記処理モジュールは、
予め構成されたルールに従って前記第1の部分集合および前記第2の部分集合を決定する
ように構成される、請求項14に記載のUE。
【請求項１６】
前記処理モジュールは、
キャリア番号およびサブフレーム番号の少なくとも一方に従って少なくとも1つのダウンリンクサブフレームを決定し、前記ダウンリンクサブフレームは前記第1の部分集合および前記第2の部分集合の少なくとも一方に属する、方法で、
予め構成されたルールに従って前記第1の部分集合および前記第2の部分集合を決定するようにさらに構成される、請求項15に記載のUE。
【請求項１７】
前記少なくとも1つのダウンリンクサブフレームは、まず周波数領域キャリア番号に従って、次に時間領域サブフレーム番号に従って決定される、
請求項16に記載のUE。
【請求項１８】
前記第1の部分集合内の前記ダウンリンクサブフレームの量は、ACK/NACKビット量のしきい値より大きくなく、かつ／または、
前記第2の部分集合内の前記ダウンリンクサブフレームの量は、ACK/NACKビット量のしきい値より大きい、
請求項14から17のいずれか一項に記載のUE。
【請求項１９】
前記ACK/NACKビット量のしきい値は22である、
請求項18に記載のUE。
【請求項２０】
前記受信モジュールは、前記基地局によって送信された第1の指示情報を受信するようにさらに構成され、
前記第1の指示情報が前記第1のコードブックサイズを示す場合には、前記処理モジュールは、前記フィードバック情報の前記コードブックサイズが前記第1のコードブックサイズであることを決定するようにさらに構成され、
前記第1の指示情報が前記第2のコードブックサイズを示す場合には、前記処理モジュールは、前記フィードバック情報の前記コードブックサイズが前記第2のコードブックサイズであることを決定するようにさらに構成される、請求項14から19のいずれか一項に記載のUE。
【請求項２１】
前記第1の部分集合が、前記第2の部分集合の真部分集合であり、または、前記第1の部分集合は、前記第2の部分集合と部分的に重複する、
請求項20に記載のUE。
【請求項２２】
基地局であって、
ダウンリンクデータをユーザ機器（UE）に送信するように構成された送信モジュールと、
前記UEによって送信され、かつ前記ダウンリンクデータに対応するフィードバック情報を受信するために使用されるアップリンクサブフレームを決定するように構成された処理モジュールであって、前記ダウンリンクデータは、前記送信モジュールによって送信され、前記アップリンクサブフレームに関連する第1のダウンリンクサブフレーム集合は、第1の部分集合および第2の部分集合を含み、
前記処理モジュールは、前記フィードバック情報のコードブックサイズを決定するようにさらに構成され、前記コードブックサイズは、第1のコードブックサイズまたは第2のコードブックサイズであり、前記第1のコードブックサイズは、前記第1の部分集合に含まれるダウンリンクサブフレームの量に対応し、前記第2のコードブックサイズは、前記第2の部分集合に含まれるダウンリンクサブフレームの量に対応する、処理モジュールと、
前記フィードバック情報のものであり、かつ前記処理モジュールによって決定された前記コードブックサイズに従って前記アップリンクサブフレームにおいて、前記UEによって送信され、かつ物理アップリンク共有チャネル（PUSCH）にマッピングされるフィードバック情報を受信するように構成された受信モジュールと、を含み、
前記コードブックサイズが前記第1のコードブックサイズである場合に、前記処理モジュールは、前記UEに対して、第1のシンボル量を決定するために使用される第1の比例係数を構成するようにさらに構成され、前記受信モジュールは、前記第1のシンボル量および前記第1のコードブックサイズに従って、前記フィードバック情報を受信するようにさらに構成され、
前記コードブックサイズが前記第2のコードブックサイズである場合に、前記処理モジュールは、前記UEに対して、第2のシンボル量を決定するために使用される第2の比例係数を構成するようにさらに構成され、前記受信モジュールは、前記第2のシンボル量および前記第2のコードブックサイズに従って、前記フィードバック情報を受信するようにさらに構成される、基地局。
【請求項２３】
前記第1の部分集合内の前記ダウンリンクサブフレームの量は、ACK/NACKビット量のしきい値より大きくなく、かつ／または、
前記第2の部分集合内の前記ダウンリンクサブフレームの量は、ACK/NACKビット量のしきい値より大きい、
請求項22に記載の基地局。
【請求項２４】
前記ACK/NACKビット量のしきい値は22である、
請求項23に記載の基地局。
【請求項２５】
前記送信モジュールは、前記第1のコードブックサイズおよび前記第2のコードブックサイズを前記UEに示す第1の指示情報を送信するようにさらに構成される、
請求項22から24のいずれか一項に記載の基地局。
【請求項２６】
前記第1の部分集合が、前記第2の部分集合の真部分集合であり、または、前記第1の部分集合は、前記第2の部分集合と部分的に重複する、
請求項25に記載の基地局。
【請求項２７】
ユーザ機器（UE）であって、
ダウンリンクデータを受信するように構成された受信機と、
プロセッサと、を含み、前記プロセッサは、前記ダウンリンクデータに対応するフィードバック情報をフィードバックするために使用されるアップリンクサブフレームを決定し、前記アップリンクサブフレームに関連する第1のダウンリンクサブフレーム集合を決定するように構成され、前記ダウンリンクデータは、前記受信機によって受信され、第1のダウンリンクサブフレーム集合は、第1の部分集合および第2の部分集合を含み、
前記プロセッサは、前記フィードバック情報のコードブックサイズを決定するようにさらに構成され、前記コードブックサイズは、第1のコードブックサイズまたは第2のコードブックサイズであり、前記第1のコードブックサイズは、前記第1の部分集合に含まれるダウンリンクサブフレームの量に対応し、前記第2のコードブックサイズは、前記第2の部分集合に含まれるダウンリンクサブフレームの量に対応し、
前記コードブックサイズが前記第1のコードブックサイズである場合に、前記プロセッサは、さらに、第1の符号化されたフィードバック情報を得るために、前記第1のコードブックサイズに従って前記フィードバック情報を符号化し、第1の比例係数に従って第1のシンボル量を決定し、前記第1のシンボル量が、前記第1の符号化されたフィードバック情報を物理アップリンク共有チャネル（PUSCH）にマッピングするために占有される必要があるシンボルの量であり、前記第1のシンボル量に従って前記第1の符号化されたフィードバック情報を前記PUSCHにマッピングするように構成され、
前記コードブックサイズが前記第2のコードブックサイズである場合に、前記プロセッサは、さらに、第2の符号化されたフィードバック情報を得るために、前記第2のコードブックサイズに従って前記フィードバック情報を符号化し、第2の比例係数に従って第2のシンボル量を決定し、前記第2のシンボル量が、前記第2の符号化されたフィードバック情報を物理アップリンク共有チャネル（PUSCH）にマッピングするために占有される必要があるシンボルの量であり、前記第2のシンボル量に従って前記第2の符号化されたフィードバック情報を前記PUSCHにマッピングするように構成され、
前記第1の比例係数および前記第2の比例係数は、独立に構成され、
前記符号化されたフィードバック情報を、前記PUSCHを用いて前記アップリンクサブフレームにおいて基地局に送信するように構成される送信機を含む、
ユーザ機器（UE）。
【請求項２８】
基地局であって、
ダウンリンクデータをユーザ機器（UE）に送信するように構成された送信機と、
前記UEによって送信され、かつ前記ダウンリンクデータに対応するフィードバック情報を受信するために使用されるアップリンクサブフレームを決定するように構成されたプロセッサであって、前記ダウンリンクデータは、前記送信機によって送信され、前記アップリンクサブフレームに関連する第1のダウンリンクサブフレーム集合は、第1の部分集合および第2の部分集合を含み、
前記プロセッサは、前記フィードバック情報のコードブックサイズを決定するようにさらに構成され、前記コードブックサイズは、第1のコードブックサイズまたは第2のコードブックサイズであり、前記第1のコードブックサイズは、前記第1の部分集合に含まれるダウンリンクサブフレームの量に対応し、前記第2のコードブックサイズは、前記第2の部分集合に含まれるダウンリンクサブフレームの量に対応する、プロセッサと、
フィードバック情報のものであり、かつ前記プロセッサによって決定された前記コードブックサイズに従って前記アップリンクサブフレームにおいて、前記UEによって送信され、かつ物理アップリンク共有チャネル（PUSCH）にマッピングされるフィードバック情報を受信するように構成された受信機と、
を含み、
前記コードブックサイズが前記第1のコードブックサイズである場合に、前記プロセッサは、前記UEに対して、第1のシンボル量を決定するために使用される第1の比例係数を構成するようにさらに構成され、前記受信機は、前記第1のシンボル量および前記第1のコードブックサイズに従って、前記フィードバック情報を受信するようにさらに構成され、
前記コードブックサイズが前記第2のコードブックサイズである場合に、前記プロセッサは、前記UEに対して、第2のシンボル量を決定するために使用される第2の比例係数を構成するようにさらに構成され、前記受信機は、前記第2のシンボル量および前記第2のコードブックサイズに従って、前記フィードバック情報を受信するようにさらに構成される、基地局。
【請求項２９】
命令が記録されたコンピュータ可読記憶媒体であって、前記命令は、請求項1から13のいずれか一項に記載の前記方法をコンピュータに実行させる、コンピュータ可読記憶媒体。
【請求項３０】
請求項1から13のいずれか一項に記載の前記方法をコンピュータに実行させるプログラム。
【発明の詳細な説明】
【技術分野】
【０００１】
本発明の実施形態は、通信技術に関し、特に、通信システムおよび装置におけるフィードバック情報伝送方法に関する。
【背景技術】
【０００２】
現在、ハイブリッド自動再送要求（Hybrid Automatic Repeat Request、略してHARQ）メカニズムは、通常、ロングタームエボリューション（Long Term Evolution、略してLTE）システムで使用される。具体的には、ユーザ機器（User Equipment、略してUE）は、物理ダウンリンク共有チャネル（Physical Downlink Shared Channel、略してPDSCH）を用いてダウンリンクデータを受信した後に、UEがダウンリンクデータを正しく受信できる場合には、UEは物理アップリンク制御チャネル（Physical Uplink Control Channel、略してPUCCH）を使用して基地局に肯定応答（ACKnowledgement、略してACK）情報を送信し、あるいは、UEがダウンリンクデータを正しく受信できない場合には、UEはPUCCHを使用して否定応答（Negative ACKnowledgement、略してNACK）情報を基地局に送信する。UEがACK／NACK情報を送信するアップリンクサブフレームにおいて、LTEシステムのアップリンクシングルキャリア特性を維持し、アップリンク送信電力の効率を向上させるために、UEがさらにアップリンクデータを送信する必要がある場合には、UEは、ACK／NACK情報とアップリンクデータとを物理アップリンク共有チャネル（Physical Uplink Shared Channel、略してPUSCH）にマッピングし、ACK／NACK情報とアップリンクデータとを基地局に送信する。
【０００３】
加えて、LTEシステムは、キャリアアグリゲーション（Carrier Aggregation、略してCA）技術をさらにサポートする。すなわち、基地局は、同一UEに対して少なくとも2つのキャリアを構成して、UEのデータ伝送速度を向上させる。少なくとも2つのキャリアは、1つの主コンポーネントキャリアと、少なくとも1つの副コンポーネントキャリアと、を含む。CAモードにおけるPUCCH送信モードは、チャネル選択モードとPUCCHフォーマット3とを含む。チャネル選択モードは、最大2キャリアのCAをサポートし、PUCCHフォーマット3モードは、5キャリアのCAをサポートすることができるか、あるいは最大約20ACK／NACKビットの伝送をサポートすることができる。したがって、UEがACK／NACK情報を送信するアップリンクサブフレームにおいて、UEがアップリンクデータをさらに送信する必要がある場合には、PUSCHは最大約20のACK／NACKビットを搬送することができる。
【０００４】
LTE技術のさらなる進化により、PUSCHは、より多くのビットのACK／NACK情報を搬送する必要があり得る。したがって、PUSCHがより多くのビットのACK／NACK情報を搬送することを可能にする方法は、本発明において解決すべき技術的課題である。
【発明の概要】
【課題を解決するための手段】
【０００５】
本発明の実施形態は、PUSCHがより多くのビットのACK／NACK情報を搬送し、リソースオーバーヘッドを低減することを可能にするために、通信システムおよび装置におけるフィードバック情報伝送方法を提供する。
【０００６】
第1の態様によれば、本発明の一実施形態は、通信システムにおけるフィードバック情報伝送方法を提供し、本方法は、
ユーザ機器UEによって、ダウンリンクデータを受信するステップと、
UEによって、ダウンリンクデータに対応するフィードバック情報をフィードバックするために使用されるアップリンクサブフレームを決定し、アップリンクサブフレームに関連する第1のダウンリンクサブフレーム集合を決定するステップであって、第1のダウンリンクサブフレーム集合が、第1の部分集合および第2の部分集合を含み、第1の部分集合が、第2の部分集合の真部分集合である、ステップと、
UEによって、フィードバック情報のコードブックサイズを決定するステップであって、コードブックサイズが、第1のコードブックサイズまたは第2のコードブックサイズであり、第1のコードブックサイズが、第1の部分集合に含まれるダウンリンクサブフレームの量に対応し、第2のコードブックサイズが、第2の部分集合に含まれるダウンリンクサブフレームの量に対応する、ステップと、
符号化されたフィードバック情報を得るために、UEによって、コードブックサイズに従ってフィードバック情報を符号化するステップと、
UEによって、符号化されたフィードバック情報を物理アップリンク共有チャネルPUSCHにマッピングし、PUSCHを使用して、符号化されたフィードバック情報をアップリンクサブフレームで基地局に送信するステップと、
を含む。
【０００７】
第1の態様を参照して、第1の態様の第1の可能な実施態様では、UEによって、フィードバック情報のコードブックサイズを決定するステップは、
UEが基地局によって送信された第1の指示情報を受信し、第1の指示情報が第1のコードブックサイズを示す場合には、UEによって、フィードバック情報のコードブックサイズが第1のコードブックサイズであることを決定するステップ、または、
UEが基地局によって送信された第1の指示情報を受信し、第1の指示情報が第2のコードブックサイズを示す場合には、UEによって、フィードバック情報のコードブックサイズが第2のコードブックサイズであることを決定するステップ、または、
UEが第1の指示情報を受信しない場合には、UEによって、フィードバック情報のコードブックサイズが第1のコードブックサイズであることを決定するステップ
を含む。
【０００８】
第1の態様を参照して、第1の態様の第2の可能な実施態様では、UEによって、フィードバック情報のコードブックサイズを決定するステップは、
UEが基地局によって送信された第2の指示情報を受信し、第2の指示情報が第1のコードブックサイズを示す場合には、UEによって、フィードバック情報のコードブックサイズが第1のコードブックサイズであることを決定するステップ、または、
UEが基地局によって送信された第2の指示情報を受信し、第2の指示情報が第2のコードブックサイズを示す場合には、UEによって、フィードバック情報のコードブックサイズが第2のコードブックサイズであることを決定するステップ、または、
UEが第2の指示情報を受信しない場合には、UEによって、フィードバック情報のコードブックサイズが所定のコードブックサイズであることを決定するステップであって、所定のコードブックサイズが、第1のコードブックサイズまたは第2のコードブックサイズである、ステップ
を含む。
【０００９】
第1の態様を参照して、第1の態様の第3の可能な実施態様では、UEによって、フィードバック情報のコードブックサイズを決定するステップは、
UEが基地局によって送信された第1の指示情報および第2の指示情報を受信し、第1の指示情報および第2の指示情報が第1のコードブックサイズを示す場合には、UEによって、フィードバック情報のコードブックサイズが第1のコードブックサイズであることを決定するステップ、または、
UEが基地局によって送信された第1の指示情報および第2の指示情報を受信し、第1の指示情報および第2の指示情報が第2のコードブックサイズを示す場合には、UEによって、フィードバック情報のコードブックサイズが第2のコードブックサイズであることを決定するステップ、または、
UEが第1の指示情報を受信しない場合には、UEによって、フィードバック情報のコードブックサイズが第1のコードブックサイズであることを決定するステップ、または、
UEが第1の指示情報を受信しないが第2の指示情報を受信した場合には、UEによって、フィードバック情報のコードブックサイズが第2の指示情報によって示される第1のコードブックサイズまたは第2のコードブックサイズであることを決定するステップ、または、
UEが第1の指示情報を受信せず、第2の指示情報も受信しない場合には、UEによって、フィードバック情報のコードブックサイズが第1のコードブックサイズであることを決定するステップ
を含む。
【００１０】
第1の態様または第1の態様の可能な実施態様のいずれかを参照して、第1の態様の第4の可能な実施態様では、UEによって、ダウンリンクデータを受信するステップは、
基地局によってスケジューリングされたダウンリンクサブフレームにおいて、UEによって、ダウンリンクデータを受信するステップであって、基地局によってスケジューリングされたダウンリンクサブフレームが第2のダウンリンクサブフレーム集合を構成し、第2のダウンリンクサブフレーム集合が第1のダウンリンクサブフレーム集合の部分集合である、ステップを含み、
UEによって、フィードバック情報のコードブックサイズを決定するステップは、
第2のダウンリンクサブフレーム集合が第1の部分集合の部分集合である場合には、UEによって、フィードバック情報のコードブックサイズが第1のコードブックサイズであることを決定するステップ、または、
第2のダウンリンクサブフレーム集合が、第2の部分集合内にあり、かつ第1の部分集合に属さないダウンリンクサブフレームのみを含む場合には、UEによって、フィードバック情報のコードブックサイズが第1のコードブックサイズまたは第2のコードブックサイズであることを決定するステップ、または、
第2のダウンリンクサブフレーム集合が、第1の部分集合内のダウンリンクサブフレームと、第2の部分集合内にあり、かつ第1の部分集合に属さないダウンリンクサブフレームと、を含み、第2のダウンリンクサブフレーム集合が、第1の部分集合および第2の部分集合を超えるダウンリンクサブフレームを含まない場合には、UEによって、フィードバック情報のコードブックサイズが第2のコードブックサイズであることを決定するステップ
を含む。
【００１１】
第1の態様または第1の態様の第1から第4の可能な実施態様のいずれかを参照して、第1の態様の第5の可能な実施態様では、UEによって、符号化されたフィードバック情報をPUSCHにマッピングするステップの前に、方法は、
コードブックサイズが第1のコードブックサイズである場合には、UEによって、第1のスクランブルコードを使用して、符号化されたフィードバック情報をスクランブルするステップ、または、
コードブックサイズが第2のコードブックサイズである場合には、UEによって、第2のスクランブルコードを使用して、符号化されたフィードバック情報をスクランブルするステップ
をさらに含む。
【００１２】
第1の態様または第1の態様の可能な実施態様のいずれかを参照して、第1の態様の第6の可能な実施態様では、コードブックサイズが第1のコードブックサイズである場合に、符号化されたフィードバック情報を得るために、UEによって、コードブックサイズに従ってフィードバック情報を符号化するステップは、
第1の符号化されたフィードバック情報を得るために、UEによって、第1のコードブックサイズに従ってフィードバック情報を符号化するステップ
を含み、
UEによって、符号化されたフィードバック情報をPUSCHにマッピングするステップは、
UEによって、基地局によって構成された第1の比例係数を決定し、第1の比例係数に従って第1のシンボル量を決定するステップであって、第1のシンボル量が、第1の符号化されたフィードバック情報をPUSCHにマッピングするために占有される必要があるシンボルの量である、ステップと、
UEによって、第1のシンボル量に従って第1の符号化されたフィードバック情報をPUSCHにマッピングするステップと、
を含み、または、
コードブックサイズが第2のコードブックサイズである場合に、符号化されたフィードバック情報を得るために、UEによって、コードブックサイズに従ってフィードバック情報を符号化するステップは、
第2の符号化されたフィードバック情報を得るために、UEによって、第2のコードブックサイズに従ってフィードバック情報を符号化するステップ
を含み、
UEによって、符号化されたフィードバック情報をPUSCHにマッピングするステップは、
UEによって、基地局によって構成された第2の比例係数を決定し、第2の比例係数に従って第2のシンボル量を決定するステップであって、第2のシンボル量が、第2の符号化されたフィードバック情報をPUSCHにマッピングするために占有される必要があるシンボルの量である、ステップと、
UEによって、第2のシンボル量に従って第2の符号化されたフィードバック情報をPUSCHにマッピングするステップと、
を含む。
【００１３】
第1の態様の可能な実施態様のいずれかを参照して、第1の態様の第7の可能な実施態様では、UEによって、ダウンリンクデータを受信するステップの前に、方法は、基地局によって送信されたダウンリンク制御情報を、UEによって受信するステップをさらに含み、
UEによって、ダウンリンクデータを受信するステップは、基地局によってスケジューリングされたダウンリンクサブフレームにおいて、UEによって、ダウンリンク制御情報に従ってダウンリンクデータを受信するステップを含み、
第1の指示情報は、ダウンリンク制御情報内の情報である。
【００１４】
第1の態様の可能な実施態様のいずれかを参照して、第1の態様の第8の可能な実施態様では、第2の指示情報は、PUSCHをスケジューリングするために使用されるアップリンクスケジューリング情報内の情報である。
【００１５】
第2の態様によれば、本発明の一実施形態は、通信システムにおけるフィードバック情報伝送方法を提供し、本方法は、
基地局によって、ダウンリンクデータをユーザ機器UEに送信するステップと、
UEによって送信され、ダウンリンクデータに対応するフィードバック情報を受信するために使用されるアップリンクサブフレームを、基地局によって決定するステップであって、アップリンクサブフレームに関連する第1のダウンリンクサブフレーム集合が、第1の部分集合および第2の部分集合を含み、第1の部分集合が、第2の部分集合の真部分集合である、ステップと、
基地局によって、フィードバック情報のコードブックサイズを決定するステップであって、コードブックサイズが、第1のコードブックサイズまたは第2のコードブックサイズであり、第1のコードブックサイズが、第1の部分集合に含まれるダウンリンクサブフレームの量に対応し、第2のコードブックサイズが、第2の部分集合に含まれるダウンリンクサブフレームの量に対応する、ステップと、
フィードバック情報の決定されたコードブックサイズに従ってアップリンクサブフレームで基地局によって、UEによって送信され、かつ物理アップリンク共有チャネルPUSCHにマッピングされたフィードバック情報を受信するステップと、
を含む。
【００１６】
第2の態様を参照して、第2の態様の第1の可能な実施態様では、フィードバック情報の決定されたコードブックサイズに従ってアップリンクサブフレームで基地局によって、UEによって送信され、かつ物理アップリンク共有チャネルPUSCHにマッピングされたフィードバック情報を受信するステップの前に、方法は、
フィードバック情報の決定されたコードブックサイズをUEに通知するために、基地局によって、第1の指示情報を送信するステップ、または、
基地局が第1の指示情報をUEに送信しない場合には、基地局によって、フィードバック情報のコードブックサイズが第1のコードブックサイズであることを決定するステップ
をさらに含む。
【００１７】
第2の態様を参照して、第2の態様の第2の可能な実施態様では、フィードバック情報の決定されたコードブックサイズに従ってアップリンクサブフレームで基地局によって、UEによって送信され、かつ物理アップリンク共有チャネルPUSCHにマッピングされたフィードバック情報を受信するステップの前に、方法は、
フィードバック情報の決定されたコードブックサイズをUEに通知するために、基地局によって、第2の指示情報を送信するステップ、または、
基地局が第2の指示情報をUEに送信しない場合には、基地局によって、フィードバック情報のコードブックサイズが所定のコードブックサイズであることを決定するステップであって、所定のコードブックサイズが、第1のコードブックサイズまたは第2のコードブックサイズである、ステップ
をさらに含む。
【００１８】
第2の態様を参照すると、第2の態様の第3の可能な実施態様では、フィードバック情報の決定されたコードブックサイズに従ってアップリンクサブフレームで基地局によって受信される前に、UEによって送信されるフィードバック情報、方法は、
フィードバック情報の決定されたコードブックサイズをUEに通知するために、基地局によって、第1の指示情報および第2の指示情報を送信するステップ、または
基地局が第1の指示情報をUEに送信しない場合、フィードバック情報のコードブックサイズが第1のコードブックサイズであることを基地局によって決定するステップ、または
基地局が第1の指示情報をUEに送信しない場合、基地局によって第2の指示情報を送信して、フィードバック情報の決定されたコードブックサイズをUEに通知するステップ、または
基地局が第1の指示情報を送信せず、第2の指示情報をUEに送信しない場合、フィードバック情報のコードブックサイズが第1のコードブックサイズであることを基地局によって決定するステップ
をさらに含む。
【００１９】
第2の態様または第2の態様の可能な実施態様のいずれかを参照して、第2の態様の第4の可能な実施態様では、フィードバック情報の決定されたコードブックサイズに従ってアップリンクサブフレームで基地局によって、UEによって送信され、かつ物理アップリンク共有チャネルPUSCHにマッピングされたフィードバック情報を受信するステップの前に、方法は、
基地局によって、第1のスクランブルコードに対するデスクランブル処理を実行するステップであって、フィードバック情報のコードブックサイズが第1のコードブックサイズであることが決定された場合に、第1のスクランブルコードが、符号化されたフィードバック情報をスクランブルするためにUEによって使用される、ステップ、または、
基地局によって、第2のスクランブルコードに対するデスクランブル処理を実行するステップであって、フィードバック情報のコードブックサイズが第2のコードブックサイズであることが決定された場合に、第2のスクランブルコードが、符号化されたフィードバック情報をスクランブルするためにUEによって使用される、ステップ
をさらに含み、
符号化されたフィードバック情報は、コードブックサイズに従ってUEによってフィードバック情報を符号化することにより得られた情報である。
【００２０】
第2の態様または第2の態様の可能な実施態様のいずれかを参照して、第2の態様の第5の可能な実施態様では、基地局によってダウンリンクデータをUEに送信するステップの前に、方法は、基地局によって、ダウンリンク制御情報をUEに送信するステップをさらに含み、
基地局によってダウンリンクデータをUEに送信するステップは、
基地局によってスケジューリングされたダウンリンクサブフレームにおいて、基地局によって、ダウンリンクデータをUEに送信するステップを含み、第1の指示情報は、ダウンリンク制御情報内の情報である。
【００２１】
第2の態様または第2の態様の可能な実施態様のいずれかを参照して、第2の態様の第6の可能な実施態様では、第2の指示情報は、PUSCHをスケジューリングするために使用されるアップリンクスケジューリング情報内の情報である。
【００２２】
第3の態様によれば、本発明の一実施形態は、ユーザ機器UEであって、
ダウンリンクデータを受信するように構成された受信モジュールと、
処理モジュールと
を含み、処理モジュールは、ダウンリンクデータに対応するフィードバック情報をフィードバックするために使用されるアップリンクサブフレームを決定し、アップリンクサブフレームに関連する第1のダウンリンクサブフレーム集合を決定し、ダウンリンクデータは、受信モジュールによって受信され、第1のダウンリンクサブフレーム集合は、第1の部分集合および第2の部分集合を含み、第1の部分集合は第2の部分集合の真部分集合であり、
処理モジュールは、フィードバック情報のコードブックサイズを決定するようにさらに構成され、コードブックサイズは、第1のコードブックサイズまたは第2のコードブックサイズであり、第1のコードブックサイズは、第1の部分集合に含まれるダウンリンクサブフレームの量に対応し、第2のコードブックサイズは、第2の部分集合に含まれるダウンリンクサブフレームの量に対応し、
処理モジュールは、符号化されたフィードバック情報を得るために、コードブックサイズに従ってフィードバック情報を符号化するようにさらに構成され、
処理モジュールは、符号化されたフィードバック情報を物理アップリンク共有チャネルPUSCHにマッピングし、符号化されたフィードバック情報を、PUSCHを用いてアップリンクサブフレームにおいて送信するように送信モジュールを制御するようにさらに構成され、
送信モジュールは、符号化されたフィードバック情報を、PUSCHを用いてアップリンクサブフレームにおいて基地局に送信するように構成される。
【００２３】
第3の態様を参照して、第3の態様の第1の可能な実施態様では、処理決定モジュールは、
基地局によって送信された第1の指示情報が受信され、第1の指示情報が第1のコードブックサイズを示す場合には、フィードバック情報のコードブックサイズが第1のコードブックサイズであることを決定し、または、
基地局によって送信された第1の指示情報が受信され、第1の指示情報が第2のコードブックサイズを示す場合には、フィードバック情報のコードブックサイズが第2のコードブックサイズであることを決定し、または、
第1の指示情報が受信されない場合には、フィードバック情報のコードブックサイズが第1のコードブックサイズであることを決定する
ように具体的に構成される。
【００２４】
第3の態様を参照して、第3の態様の第2の可能な実施態様では、処理モジュールは、
基地局によって送信された第2の指示情報が受信され、第2の指示情報が第1のコードブックサイズを示す場合には、フィードバック情報のコードブックサイズが第1のコードブックサイズであることを決定し、または、
基地局によって送信された第2の指示情報が受信され、第2の指示情報が第2のコードブックサイズを示す場合には、フィードバック情報のコードブックサイズが第2のコードブックサイズであることを決定し、または、
第2の指示情報が受信されない場合には、フィードバック情報のコードブックサイズが所定のコードブックサイズであることを決定する
ように具体的に構成され、所定のコードブックサイズは、第1のコードブックサイズまたは第2のコードブックサイズである。
【００２５】
第3の態様を参照して、第3の態様の第3の可能な実施態様では、処理モジュールは、
基地局によって送信された第1の指示情報および第2の指示情報が受信され、第1の指示情報および第2の指示情報が第1のコードブックサイズを示す場合には、フィードバック情報のコードブックサイズが第1のコードブックサイズであることを決定し、または、
基地局によって送信された第1の指示情報および第2の指示情報が受信され、第1の指示情報および第2の指示情報が第2のコードブックサイズを示す場合には、フィードバック情報のコードブックサイズが第2のコードブックサイズであることを決定し、または、
第1の指示情報が受信されない場合には、フィードバック情報のコードブックサイズが第1のコードブックサイズであることを決定し、または、
第1の指示情報が受信されないが第2の指示情報が受信された場合には、フィードバック情報のコードブックサイズが第2の指示情報によって示される第1のコードブックサイズまたは第2のコードブックサイズであることを決定し、または、
第1の指示情報および第2の指示情報が受信されない場合には、フィードバック情報のコードブックサイズが第1のコードブックサイズであることを決定する
ように具体的に構成される。
【００２６】
第3の態様を参照して、第3の態様の第4の可能な実施態様では、受信モジュールは、基地局によりスケジューリングされたダウンリンクサブフレームにおいて、ダウンリンクデータを受信するように具体的に構成され、基地局によってスケジューリングされたダウンリンクサブフレームは第2のダウンリンクサブフレーム集合を構成し、第2のダウンリンクサブフレーム集合は第1のダウンリンクサブフレーム集合の部分集合であり、
処理モジュールは、
第2のダウンリンクサブフレーム集合が第1の部分集合の部分集合である場合には、フィードバック情報のコードブックサイズが第1のコードブックサイズであることを決定し、または、
第2のダウンリンクサブフレーム集合が、第2の部分集合内にあり、かつ第1の部分集合に属さないダウンリンクサブフレームのみを含む場合には、フィードバック情報のコードブックサイズが第1のコードブックサイズまたは第2のコードブックサイズであることを決定し、または、
第2のダウンリンクサブフレーム集合が、第1の部分集合内のダウンリンクサブフレームと、第2の部分集合内にあり、かつ第1の部分集合に属さないダウンリンクサブフレームと、を含み、第2のダウンリンクサブフレーム集合が、第1の部分集合および第2の部分集合を超えるダウンリンクサブフレームを含まない場合には、フィードバック情報のコードブックサイズが第2のコードブックサイズであることを決定する
ように具体的に構成される。
【００２７】
第3の態様の第1から第4の可能な実施態様のいずれかを参照して、第3の態様の第5の可能な実施態様では、処理モジュールは、
コードブックサイズが第1のコードブックサイズである場合には第1のスクランブルコードを使用して、符号化されたフィードバック情報をスクランブルし、または、
コードブックサイズが第2のコードブックサイズである場合には、第2のスクランブルコードを使用して、符号化されたフィードバック情報をスクランブルする
ようにさらに構成される。
【００２８】
第3の態様または第3の態様の可能な実施態様のいずれかを参照して、第3の態様の第6の可能な実施態様では、処理モジュールは、
コードブックサイズが第1のコードブックサイズである場合には、第1の符号化されたフィードバック情報を得るために、第1のコードブックサイズに従ってフィードバック情報を符号化し、基地局によって構成された第1の比例係数を決定し、第1の比例係数に従って第1のシンボル量を決定し、第1のシンボル量は、第1の符号化されたフィードバック情報をPUSCHにマッピングするために占有される必要があるシンボルの量であり、第1のシンボル量に従って第1の符号化されたフィードバック情報をPUSCHにマッピングするようにさらに構成され、または、
処理モジュールは、
コードブックサイズが第2のコードブックサイズである場合には、第2の符号化されたフィードバック情報を得るために、第2のコードブックサイズに従ってフィードバック情報を符号化し、基地局によって構成された第2の比例係数を決定し、第2の比例係数に従って第2のシンボル量を決定し、第2のシンボル量は、第2の符号化されたフィードバック情報をPUSCHにマッピングするために占有される必要があるシンボルの量であり、第2のシンボル量に従って第2の符号化されたフィードバック情報をPUSCHにマッピングする
ようにさらに構成される。
【００２９】
第3の態様または第3の態様の可能な実施態様のいずれかを参照して、第3の態様の第7の可能な実施態様では、受信モジュールは、基地局によって送信されたダウンリンク制御情報を受信し、基地局によってスケジューリングされたダウンリンクサブフレームにおいて、ダウンリンク制御情報に従ってダウンリンクデータを受信するようにさらに構成され、
第1の指示情報は、ダウンリンク制御情報内の情報である。
【００３０】
第3の態様または第3の態様の可能な実施態様のいずれかを参照して、第3の態様の第8の可能な実施態様では、第2の指示情報は、PUSCHをスケジューリングするために使用されるアップリンクスケジューリング情報内の情報である。
【００３１】
第4の態様によれば、本発明の一実施形態は、基地局を提供し、基地局は、
ダウンリンクデータをユーザ機器UEに送信するように構成された送信モジュールと、
UEによって送信され、かつダウンリンクデータに対応するフィードバック情報を受信するために使用されるアップリンクサブフレームを決定するように構成された処理モジュールであって、ダウンリンクデータは、送信モジュールによって送信され、アップリンクサブフレームに関連する第1のダウンリンクサブフレーム集合は、第1の部分集合および第2の部分集合を含み、第1の部分集合は、第2の部分集合の真部分集合であり、
処理モジュールは、フィードバック情報のコードブックサイズを決定するようにさらに構成され、コードブックサイズは、第1のコードブックサイズまたは第2のコードブックサイズであり、第1のコードブックサイズは、第1の部分集合に含まれるダウンリンクサブフレームの量に対応し、第2のコードブックサイズは、第2の部分集合に含まれるダウンリンクサブフレームの量に対応する、処理モジュールと、
フィードバック情報であり、かつ処理モジュールによって決定されたコードブックサイズに従ってアップリンクサブフレームにおいて、UEによって送信され、かつ物理アップリンク共有チャネルPUSCHにマッピングされるフィードバック情報を受信するように構成された受信モジュールと、を含む。
【００３２】
第4の態様を参照して、第4の態様の第1の可能な実施態様では、送信モジュールは、フィードバック情報の決定されたコードブックサイズをUEに通知するために、第1の指示情報を送信するようにさらに構成され、または、
送信モジュールが第1の指示情報をUEに送信しない場合には、処理モジュールは、フィードバック情報のコードブックサイズが第1のコードブックサイズであることを決定する。
【００３３】
第4の態様を参照して、第4の態様の第2の可能な実施態様では、送信モジュールは、フィードバック情報の決定されたコードブックサイズをUEに通知するために、第2の指示情報を送信するようにさらに構成され、または、
送信モジュールが第2の指示情報をUEに送信しない場合には、処理モジュールは、フィードバック情報のコードブックサイズが所定のコードブックサイズであることを決定し、所定のコードブックサイズは、第1のコードブックサイズまたは第2のコードブックサイズである。
【００３４】
第4の態様を参照して、第4の態様の第3の可能な実施態様では、送信モジュールは、フィードバック情報の決定されたコードブックサイズをUEに通知するために、第1の指示情報および第2の指示情報を送信するようにさらに構成され、または、
送信モジュールが第1の指示情報をUEに送信しない場合には、処理モジュールは、フィードバック情報のコードブックサイズが第1のコードブックサイズであることを決定し、または、
送信モジュールが第1の指示情報をUEに送信しない場合には、送信モジュールは、フィードバック情報の決定されたコードブックサイズをUEに通知するために、第2の指示情報を送信し、または
送信モジュールがUEに第1の指示情報を送信せず、第2の指示情報も送信しない場合には、処理モジュールは、フィードバック情報のコードブックサイズが第1のコードブックサイズであることを決定する。
【００３５】
第4の態様または第4の態様の可能な実施態様のいずれかを参照して、第4の態様の第4の可能な実施態様では、処理モジュールは、
第1のスクランブルコードに対するデスクランブル処理を実行し、フィードバック情報のコードブックサイズが第1のコードブックサイズであることが決定された場合に、第1のスクランブルコードは、符号化されたフィードバック情報をスクランブルするためにUEによって使用され、または、
第2のスクランブルコードに対するデスクランブル処理を実行し、フィードバック情報のコードブックサイズが第2のコードブックサイズであることが決定された場合に、第2のスクランブルコードは、符号化されたフィードバック情報をスクランブルするためにUEによって使用され、
符号化されたフィードバック情報は、コードブックサイズに従ってUEによってフィードバック情報を符号化することにより得られた情報である。
【００３６】
第4の態様または第4の態様の可能な実施態様のいずれかを参照して、第4の態様の第5の可能な実施態様では、送信モジュールは、ダウンリンク制御情報をUEに送信し、基地局によってスケジューリングされたダウンリンクサブフレームにおいてUEにダウンリンクデータを送信するようにさらに構成され、
第1の指示情報は、ダウンリンク制御情報内の情報である。
【００３７】
第4の態様または第4の態様の可能な実施態様のいずれかを参照して、第4の態様の第6の可能な実施態様では、第2の指示情報は、PUSCHをスケジューリングするために使用されるアップリンクスケジューリング情報内の情報である。
【００３８】
本発明では、ユーザ機器UEはダウンリンクデータを受信し、UEはダウンリンクデータに対応するフィードバック情報をフィードバックするために使用されるアップリンクサブフレームを決定し、アップリンクサブフレームに関連する第1のダウンリンクサブフレーム集合を決定する。第1のダウンリンクサブフレーム集合は、第1の部分集合および第2の部分集合を含み、第1の部分集合は第2の部分集合の真部分集合である。さらに、UEはフィードバック情報のコードブックサイズを決定する。コードブックサイズは、第1のコードブックサイズまたは第2のコードブックサイズであり、第1のコードブックサイズは、第1の部分集合に含まれるダウンリンクサブフレームの量に対応し、第2のコードブックサイズは、第2の部分集合に含まれるダウンリンクサブフレームの量に対応する。さらに、UEは、コードブックサイズに従ってフィードバック情報を符号化して、符号化されたフィードバック情報を取得し、次にUEは、符号化されたフィードバック情報を物理アップリンク共有チャネルPUSCHにマッピングし、符号化されたフィードバック情報を、PUSCHを用いてアップリンクサブフレームにおいて基地局に送信する。すなわち、UEは、基地局によって実際にスケジューリングされたダウンリンクサブフレームの状態に従って、フィードバック情報のコードブックサイズを決定することができる。このように、PUSCHは、より多くのビットのACK／NACK情報を搬送することができ、PUSCHにおけるACK／NACKの性能およびアップリンクデータの性能が改善されるか、あるいは、PUSCHにおいてACK／NACKの性能がアップリンクデータの性能と同じであることが保証される場合には、リソースオーバーヘッドが低減される。
【図面の簡単な説明】
【００３９】
【図１】本発明による通信システムにおけるフィードバック情報伝送方法の実施形態1の概略的なフローチャートである。
【図２】本発明による通信システムにおけるフィードバック情報伝送方法の実施形態2の概略的なフローチャートである。
【図３】本発明によるUEの実施形態1の概略的な構成図である。
【図４】本発明によるUEの実施形態2の概略的な構成図である。
【図５】本発明による基地局の実施形態1の概略的な構成図である。
【図６】本発明による基地局の実施形態2の概略的な構成図である。
【発明を実施するための形態】
【００４０】
本発明の実施形態の目的、技術的解決策、および利点をより明確にするために、以下、本発明の実施形態における図面を参照して本発明の実施形態の技術的解決策について明確に説明する。明らかに、記載された実施形態は、本発明の実施形態のすべてではなく、その一部である。創造的努力なしに本発明の実施形態に基づいて当業者によって得られたすべての他の実施形態は、本発明の保護範囲内に含まれるものとする。
【００４１】
本発明の実施形態では、LTEシステムのアップリンクシングルキャリア特性を維持するために、UEがACK／NACK情報を送信するアップリンクサブフレームにおいて、UEがアップリンクデータをさらに送信する必要がある場合には、UEはACK／NACK情報およびアップリンクデータをPUSCHにマッピングし、ACK／NACK情報とアップリンクデータの両方を基地局に送信する。任意選択的に、PUSCHは、ダウンリンク制御チャネルを使用することによってスケジューリングされてもよい。例えば、TDDシステムにおけるアップリンク−ダウンリンクサブフレーム構成2のアップリンクサブフレーム2のPUSCHは、以前の無線フレームのダウンリンクサブフレーム8で送信されたダウンリンク制御チャネルを使用してスケジューリングされる。あるいは、PUSCHは、半永久的にスケジューリングされたデータチャネルであってもよい。すなわち、PUSCHは、ダウンリンク制御チャネルを使用してスケジューリングされる必要はない。UEは、アップリンクサブフレーム2において半永久的にスケジューリングされたアップリンクデータチャネルを送信する必要があることを事前に知る。
【００４２】
LTEシステムは、周波数分割複信（Frequency Division Duplex、略してFDD）CA、時分割複信（Time Division Duplex、略してTDD）CA、およびFDD＋TDD CAをサポートする。TDD CAは、同じアップリンク−ダウンリンク構成を有するTDD CAと、異なるアップリンク−ダウンリンク構成を有するTDD CAと、を含む。CAモードにおけるPUCCH送信モードは、チャネル選択モードとPUCCHフォーマット3とを含む。チャネル選択モードでは、PUCCHフォーマット1a／1bを用いてACK／NACKフィードバックが行われるが、最大2キャリアのCAがサポートされる。PUCCHフォーマット3モードでは、離散フーリエ変換−拡散−直交周波数分割多重（Discrete Fourier Transform-Spread-Orthogonal Frequency Division Multiplexing、略してDFT-S-OFDM）送信構造が使用され、最大約20個のACK／NACKビットの伝送をサポートすることができ、5つのキャリアのTDD CAをサポートすることができる。TDDアップリンク−ダウンリンク構成2の例では、1つのキャリア上のアップリンクサブフレーム2は4つのACK／NACKビットのフィードバックをサポートすることができ、TDDアップリンク−ダウンリンク構成2を有する5つのキャリアのCAは20個のACK／NACKビットをサポートすることができ、すなわち、UEがACK／NACK情報を送信するアップリンクサブフレームにおいて、UEがアップリンクデータをさらに送信する必要がある場合には、現在のPUSCHは最大約20個のACK／NACKビットを搬送することができる。既存のCAメカニズムに基づいて、基地局は、UE用のアップリンクサブフレームnに関連するN個のダウンリンクサブフレームを構成するが、N個のダウンリンクサブフレーム内のM個のダウンリンクサブフレーム（ここでM＜N、MおよびNは正の整数）しか実際には瞬時にスケジューリングすることができないと仮定される。フィードバック情報のコードブックサイズを算出するための既存の方法では、フィードバック情報のコードブックサイズは、通常、Nに基づいて決定される。
【００４３】
いくつかのシナリオでは、LTE技術のさらなる進化により、PUSCHは、より多くのビット、例えば20ビット以上のACK／NACK情報を搬送する必要があり得る。任意選択的に、既存のCAアーキテクチャに基づいて、10キャリアのCAなどのより多くのキャリアのCAが導入されると、CAがTDDアップリンク−ダウンリンク構成2により10キャリアで実行される場合には、40ビットのACK／NACKがフィードバックされる必要がある。任意選択的に、最大5キャリアの現在のCAがサポートされ続けていると、TDDアップリンク−ダウンリンク構成5により複数のキャリアが構成される場合、例えば、主コンポーネントキャリアがアップリンク−ダウンリンク構成2により構成され、4つの副コンポーネントキャリアがアップリンク−ダウンリンク構成5により構成される場合には、4＋9×4＝40ビットのACK／NACKをフィードバックする必要がある。任意選択的に、PUSCHが、ダウンリンクサブフレームのみを有する少なくとも2つのTDDキャリア、または異なるアップリンク−ダウンリンク構成を有する前述のキャリアの組み合わせをサポートする場合は、PUSCHは、20ビットを超えるACK／NACK情報を搬送する必要があり得る。したがって、CAがより多くのキャリア上で実行されるにつれて、MはNよりはるかに小さい可能性があるので、フィードバック情報のコードブックサイズが通常Nに基づいて決定されると、比較的大きなオーバーヘッドが生じる。コードブックサイズは、元のACK／NACKビットの量または符号化する前のACK／NACKビットの量である。構成されたアグリゲーションキャリア集合内のダウンリンクサブフレームの数Nに基づいてコードブックサイズが決定されるということは、各ダウンリンクサブフレームにおいて1つのコードワードがスケジューリングされる場合に、各ダウンリンクサブフレームは1ビットのACK／NACKフィードバックに対応し、コードブックサイズはNである。そして、各ダウンリンクサブフレームにおいて2つのコードワードがスケジューリングされる場合には、各ダウンリンクサブフレームは2ビットのACK／NACKフィードバックに対応し、コードブックサイズは2×Nである。
【００４４】
図1は、本発明による通信システムにおけるフィードバック情報伝送方法の実施形態1の概略的なフローチャートである。図1に示すように、この実施形態の方法は、以下のステップを含むことができる。
【００４５】
S101：ユーザ機器UEは、ダウンリンクデータを受信する。
【００４６】
LTEシステムは、FDDとTDDの2つの複信モードをサポートする。FDDシステムでは、アップリンク伝送とダウンリンク伝送が異なるキャリアで実行される。TDDシステムでは、アップリンク伝送およびダウンリンク伝送は、異なる時間に同じキャリアで実行される。具体的には、キャリアは、ダウンリンクサブフレームと、アップリンクサブフレームと、特殊サブフレームと、を含む。特殊サブフレームは、3つの部分、すなわち、ダウンリンクパイロットタイムスロット（Downlink Pilot Time Slot、略してDwPTS）、ガード期間（Guard Period、略してGP）、およびアップリンクパイロットタイムスロット（Uplink Pilot Time Slot、略してUpPTS）を含む。GPは、主に、ダウンリンク−アップリンクデバイススイッチング時間およびダウンリンク−アップリンク伝播遅延を補償するために使用される。ダウンリンクデータはDwPTSで伝送することができるが、PUSCHはUpPTSで伝送することができない。表1は、LTEシステムにおける異なるTDDアップリンク−ダウンリンク構成を示し、LTEは現在、7つの異なるTDDアップリンク−ダウンリンク構成をサポートしている。表1に示すように、Dはダウンリンクサブフレームを表し、Sは特別のサブフレームを表し、Uはアップリンクサブフレームを表す。
【００４７】
【表１】
0006478304.tif 000002
【００４８】
本発明のこの実施形態では、UEは、基地局によってスケジューリングされたダウンリンクサブフレームにおいて、ダウンリンクデータを受信することができる。基地局によってスケジューリングされたダウンリンクサブフレームは、第2のダウンリンクサブフレーム集合を構成する。すなわち、第2のダウンリンクサブフレーム集合内のダウンリンクサブフレームは、基地局によって実際にスケジューリングされたサブフレームである。任意選択的に、ステップS101の前に、本方法は、基地局によって送信されたダウンリンク制御情報をUEが受信することをさらに含む。例えば、UEは、ダウンリンク制御チャネルを使用して、基地局によって送信されたダウンリンク制御情報を受信する。これに対応して、ステップS101は、UEが、基地局によってスケジューリングされたダウンリンクサブフレームにおいて、ダウンリンク制御情報に従ってダウンリンクデータを受信することを含む。例えば、UEは、基地局がスケジューリングしたダウンリンクサブフレームにおいて、物理ダウンリンク共有チャネル（Physical Downlink Shared Channel、略してPDSCH）を用いて、ダウンリンク制御情報に従ってダウンリンクデータを受信する。任意選択的に、ダウンリンク制御チャネルは、物理ダウンリンク制御チャネル（Physical Downlink Control Channel、略してPDCCH）または拡張物理ダウンリンク制御チャネル（Enhanced PDCCH、略してEPDCCH）であってもよい。任意選択的に、ダウンリンク制御情報は、PDSCHのスケジューリング情報またはPUSCHのスケジューリング情報を含むことができる。スケジューリング情報は、チャネルリソース割り当て情報ならびに変調および符号化方式などの制御情報を含むことができる。
【００４９】
S102：UEは、ダウンリンクデータに対応するフィードバック情報をフィードバックするために使用されるアップリンクサブフレームを決定し、アップリンクサブフレームに関連する第1のダウンリンクサブフレーム集合を決定する。
【００５０】
一般に、PDSCHがスケジューリングされるダウンリンクサブフレームと、ダウンリンクサブフレームで受信されたダウンリンクデータに対応するフィードバック情報をフィードバックするために使用されるアップリンクサブフレームと、の間に予め構成された時系列またはタイミング関係が存在する。任意選択的に、（1）FDDの場合、ダウンリンクサブフレームn−4でPDSCHを使用してダウンリンクデータを受信した後、UEはアップリンクサブフレームnでACK／NACK情報をフィードバックする。（2）TDDの場合、TDDシステムにおけるACK／NACK情報のフィードバックの時系列関係を表2に示す。PDSCHを用いてダウンリンクデータを受信するダウンリンクサブフレームと、ダウンリンクデータに対応するフィードバック情報をフィードバックするアップリンクサブフレームと、の時系列関係を表2に示す。サブフレーム番号nに対応するサブフレームは、ACK／NACK情報をフィードバックするためのアップリンクサブフレームnである。異なるアップリンク−ダウンリンク構成に対して、異なるサブフレーム番号nに対応する識別子番号は、n−k（kはKに属する）のダウンリンクサブフレーム集合におけるダウンリンクデータに対応するACK／NACK情報がアップリンクサブフレームnでフィードバックされる必要があることを示す。例えば、アップリンク−ダウンリンク構成1においてアップリンクサブフレームn＝2に対応するK＝｛7，6｝は、アップリンクサブフレーム2（n＝2）を用いて、2つのダウンリンクサブフレームn−7およびn−6においてダウンリンクデータに対応するACK／NACK情報をフィードバックすることを意味する。具体的には、ダウンリンクサブフレームn−7はダウンリンクサブフレーム5であり、ダウンリンクサブフレームn−6はダウンリンクサブフレーム6である。
【００５１】
【表２】
0006478304.tif 000003
【００５２】
本発明のこの実施形態では、UEは、ダウンリンクサブフレームで受信されたダウンリンクデータに対応するフィードバック情報をフィードバックするために使用されるダウンリンクサブフレームとアップリンクサブフレームとの予め設定された時系列関係に従って、ダウンリンクデータに対応するフィードバック情報をフィードバックするために用いられるアップリンクサブフレーム、およびアップリンクサブフレームに関連する第1のダウンリンクサブフレーム集合を決定する。任意選択的に、フィードバック情報は、確認応答ACK情報または否定応答NACK情報などの、ダウンリンクデータが正しく受信されたかどうかを判定するために使用される情報である。第1のダウンリンクサブフレーム集合は、アップリンクサブフレームのために基地局によって構成されたすべてのダウンリンクサブフレームを含む。例えば、UEに対してキャリア1〜5が構成され、各キャリアがTDD構成2を有し、主コンポーネントキャリア上のアップリンクサブフレーム2に関連する第1のダウンリンクサブフレーム集合は、キャリア1〜5上にサブフレーム4、5、6、8を含み、合計20個のサブフレームを含むと仮定する。基地局は、瞬時に第1のダウンリンクサブフレーム集合内のすべてのダウンリンクサブフレームをスケジューリングしないので、第2のダウンリンクサブフレーム集合は、第1のダウンリンクサブフレーム集合の部分集合である。CAがより多くのキャリア上で実行されると、第2のダウンリンクサブフレーム集合は第1のダウンリンクサブフレーム集合よりはるかに小さいので、第1のダウンリンクサブフレーム集合に基づいてフィードバック情報のコードブックサイズが決定される場合に比較的大きなオーバーヘッドが生じる。本発明のこの実施形態では、フィードバック情報コードブックの動的フォールバックメカニズムが提供され、第1のダウンリンクサブフレーム集合は第1の部分集合および第2の部分集合を含み、第1の部分集合は第2の部分集合の真部分集合である。したがって、フィードバック情報のコードブックサイズは、第1の部分集合または第2の部分集合内のダウンリンクサブフレームの量に従ってさらに決定され、それによってリソースオーバーヘッドを低減する。任意選択的に、第2の部分集合は、第1のダウンリンクサブフレーム集合と等しくてもよい。本発明の
この実施形態では、第1のダウンリンクサブフレーム集合は、第1の部分集合と第2の部分集合の2つの部分集合のみを含むが、これに限定されず、あるいは少なくとも2つの部分集合を含むことができることに留意されたい。例えば、第1のダウンリンクサブフレーム集合は、第3の部分集合または第4の部分集合をさらに含むことができる。
【００５３】
任意選択的に、UEは、第1の部分集合および第2の部分集合を予め決定することができ、すなわち、UEは、予め構成されたルールに従って第1の部分集合および第2の部分集合を決定することができる。
【００５４】
本発明のこの実施形態では、TDD CAが一例として説明される。基地局がUEに対して15個のキャリアを構成し、15個のキャリアが同じTDDアップリンク−ダウンリンク構成2に対応する場合には、表2の時系列関係に従って、最大15個のキャリア上のダウンリンクサブフレーム4、5、6および8のデータチャネルに対応するACK／NACK情報が、主コンポーネントキャリア上のアップリンクサブフレーム2においてフィードバックされる必要があることが決定される。すべてのダウンリンクサブフレーム（すなわち、キャリア1〜15上のダウンリンクサブフレーム4、5、6、および8）は、第1のダウンリンクサブフレーム集合を構成する（任意選択的に、従来技術では、第1のダウンリンクサブフレーム集合のダウンリンクサブフレームの量に基づいて、フィードバック情報のコードブックサイズは4×15＝60ビットであると決定される）。任意選択的に、15個のキャリア上のデータチャネルは、独立した制御チャネルを使用することによって別個にスケジューリングされてもよいし、あるいは複数のサブフレームおよび／または複数のキャリア上のデータチャネルは、1つの制御チャネルを使用してスケジューリングされてもよい。本発明のこの実施形態では、15個のキャリア上のデータチャネルをスケジューリングする方法は限定されない。この実施形態では、独立したスケジューリングを例として説明する。さらに、本発明のこの実施形態は、複数の異なるアップリンク−ダウンリンク構成を、UE、TDD＋FDD CAなどのために構成されているTDD CAにおいてさらに使用することができる。
【００５５】
この実施形態では、第1のダウンリンクサブフレーム集合は、第1の部分集合および第2の部分集合を含む。第1の部分集合は第2の部分集合の真部分集合であり、すなわち、第2の部分集合は第1の部分集合を含み、第2の部分集合内のダウンリンクサブフレームの量は第1の部分集合内のダウンリンクサブフレームの量より大きい。本発明のこの実施形態では、異なるキャリア上の同じサブフレーム番号を有するダウンリンクサブフレームが異なるダウンリンクサブフレームであると仮定する。特殊サブフレームではダウンリンクデータを伝送することができるが、特殊サブフレームではアップリンクデータを伝送することができないので、TDD特殊サブフレームはダウンリンクサブフレームとも呼ばれる。例えば、第1の部分集合は、キャリア1〜5上のダウンリンクサブフレーム4、5、6、および8を含み、第2の部分集合は、キャリア1〜10上のダウンリンクサブフレーム4、5、6、および8を含む。第2の部分集合が第1の部分集合を含むことが分かる。任意選択的に、この実施形態では第3の部分集合が存在する。第3の部分集合は、キャリア1〜15上のダウンリンクサブフレーム4、5、6、および8を含む、すなわち、第3の部分集合は、アップリンクサブフレームでフィードバックされたACK／NACK情報に関連し、UEのために基地局によって構成されたすべての予め構成されたダウンリンクサブフレームを含むと仮定する。すなわち、第3の部分集合は、第1のダウンリンクサブフレーム集合に等しい。第1の部分集合と第2の部分集合との間の関係、第2の部分集合と第3の部分集合との間の関係、および第1の部分集合と第3の部分集合との間の関係は、構造的に類似していることが分かる。任意選択的に、第1の部分集合は、第2の部分集合と部分的に重複してもよい。確かに、本発明のこの実施形態では、別の方法を使用することができ、詳細についてはここで再び説明しない。
【００５６】
本発明のこの実施形態では、予め設定されたルールに従って第1の部分集合および第2の部分集合が決定される方法は、具体的には、以下の通りである。第1の部分集合および第2の部分集合は、キャリア番号および／またはサブフレーム番号に従って、ACK／NACKビット量しきい値（例えば、20ビット、21ビット、または22ビット）を参照して決定される。（1）例えば、UEは、第1の部分集合はキャリア1〜5上のダウンリンクサブフレーム4、5、6、および8を含み、第2の部分集合はキャリア1〜10上のダウンリンクサブフレーム4、5、6、および8を含むと判定する。第1の部分集合を選択する方法では、まず、時間領域サブフレーム番号のシーケンスに従って、キャリア1上のすべてのダウンリンクサブフレームが選択され、その後、ダウンリンクサブフレームの量がビット量しきい値に達するまで、周波数領域キャリア番号に基づいて、キャリア2上のダウンリンクサブフレームが選択される。第2の部分集合を選択する方法は、第1の部分集合を選択する方法と同様である。（2）例えば、上記のビット量しきい値が10であり、5つのキャリアが存在し、各キャリアがアップリンク−ダウンリンク構成2を有すると仮定する。第1の集合分割方法では、第1の部分集合は、キャリア1および2上のダウンリンクサブフレーム4、5、6、および8と、キャリア3上のダウンリンクサブフレーム4および5とを含み、第1の部分集合内のすべてのダウンリンクサブフレームに加えて、第2の部分集合は、キャリア3上のダウンリンクサブフレーム6および8と、キャリア3および4上のダウンリンクサブフレーム4、5、6、および8とを含む。この場合、1つのキャリア上の異なるサブフレームは、異なるダウンリンクサブフレーム集合にグループ化される。この例では、第1の部分集合および第2の部分集合は、時間領域サブフレーム番号に従って最初に選択され、その後、周波数領域キャリア番号に従って選択されることが分かる。第2の集合分割方法では、第1の部分集合は、キャリア1および2上のダウンリンクサブフレーム4、5、6、および8を含み、第1の部分集合内のすべてのダウンリンクサブフレームに加えて、第2の部分集合は、キャリア3〜5上のダウンリンクサブフレーム4、5、6、および8を含む。この例では、分割ルールは以下の通りである。キ
ャリア番号、サブフレーム番号、およびビット量しきい値に従って、ビット量しきい値を超えない最大量のキャリア上のダウンリンクサブフレームが1つの集合であると決定される。同じキャリア上の異なるサブフレームは、完全に交差していない複数の集合にグループ化することができない。同じキャリア上の異なるサブフレームが、完全に交差していない複数の集合にグループ化される場合には、集合内のダウンリンクサブフレームの量は、前述のビット量しきい値よりも小さい。任意選択的に、ビット量しきい値を参照して、第1の部分集合および第2の部分集合は、周波数領域キャリア番号に従って最初に選択され、次に時間領域サブフレーム番号に従って選択されてもよい。
【００５７】
任意選択的に、UEは、基地局によって送信された指示シグナリングに従って、第1の部分集合および第2の部分集合を決定することができる。例えば、基地局は、指示シグナリングを用いて、分割ルールをUEに通知する。任意選択的に、UEは、基地局によって決定された第1の部分集合および第2の部分集合を直接受信する。例えば、基地局は、分割によって得られた第1の部分集合および第2の部分集合をUEに直接通知する。確かに、UEは、第1の部分集合および第2の部分集合を別の方法で決定してもよく、これは本発明のこの実施形態では限定されない。
【００５８】
S103：UEはフィードバック情報のコードブックサイズを決定し、コードブックサイズは第1のコードブックサイズまたは第2のコードブックサイズである。
【００５９】
本発明のこの実施形態では、基地局がフィードバック情報のコードブックサイズを決定した後に基地局によってUEに送信されたコードブックサイズ指示情報に従って、または第2のダウンリンクサブフレーム集合と第1の部分集合と第2の部分集合との間の関係に従って、UEは、フィードバック情報のコードブックサイズが第1のコードブックサイズまたは第2のコードブックサイズであると決定することができる。第1のコードブックサイズは、第1の部分集合に含まれるダウンリンクサブフレームの量に対応する（すなわち、第1のコードブックサイズは、第1の部分集合に含まれるダウンリンクサブフレームの量に従って決定される）。第2のコードブックサイズは、第2の部分集合に含まれるダウンリンクサブフレームの量に対応する（すなわち、第2のコードブックサイズは、第2の部分集合に含まれるダウンリンクサブフレームの量に従って決定される）。すなわち、UEは、基地局によって実際にスケジューリングされたダウンリンクサブフレームの状態に従って、フィードバック情報のコードブックサイズを決定することができる。従って、フィードバック情報の決定されたコードブックサイズは、従来技術で第1のダウンリンクサブフレーム集合内のダウンリンクサブフレームの量に従ってUEによって決定されたコードブックサイズ以下である。このように、PUSCHは、より多くのビットのACK／NACK情報を搬送することができ、PUSCHにおけるACK／NACKの性能およびアップリンクデータの性能が改善されるか、あるいは、PUSCHにおいてACK／NACKの性能がアップリンクデータの性能と同じであることが保証される場合には、リソースオーバーヘッドが低減される。
【００６０】
任意選択的に、UEが基地局によって送信されたコードブックサイズ指示情報に従ってフィードバック情報のコードブックサイズを決定する方法では、コードブックサイズ指示情報は、第1の指示情報、第2の指示情報、または第1の指示情報および第2の指示情報の組み合わせを含む。特定のプロセスは以下の通りである。
【００６１】
任意選択的に、UEがフィードバック情報のコードブックサイズを決定することは、以下を含む。UEが基地局によって送信された第1の指示情報を受信し、第1の指示情報が第1のコードブックサイズを示す場合には、UEが、フィードバック情報のコードブックサイズが第1のコードブックサイズであることを決定し、または、UEが基地局によって送信された第1の指示情報を受信し、第1の指示情報が第2のコードブックサイズを示す場合には、UEが、フィードバック情報のコードブックサイズが第2のコードブックサイズであることを決定し、または、UEが第1の指示情報を受信しない場合には、UEが、フィードバック情報のコードブックサイズが第1のコードブックサイズであることを決定する。
【００６２】
本発明のこの実施形態では、第1の可能な実施態様において、フィードバック情報のコードブックサイズが第1のコードブックサイズであると決定した後に、基地局は、第1のコードブックサイズを含む第1の指示情報（すなわち、コードブックサイズ指示情報）をUEに通知し、UEが基地局によって送信された第1の指示情報を受信した場合には（第1の指示情報は、フィードバック情報であり、かつ基地局によって決定されたコードブックサイズが、第1のコードブックサイズであることを示す）、UEは、フィードバック情報のコードブックサイズが第1のコードブックサイズであることを直接決定する。本発明のこの実施形態では、第2の可能な実施態様において、フィードバック情報のコードブックサイズが第2のコードブックサイズであると決定した後に、基地局は、第2のコードブックサイズを含む第1の指示情報（すなわち、コードブックサイズ指示情報）をUEに通知し、UEが基地局によって送信された第1の指示情報を受信した場合には（第1の指示情報は、フィードバック情報であり、かつ基地局によって決定されたコードブックサイズが、第2のコードブックサイズであることを示す）、UEは、フィードバック情報のコードブックサイズが第2のコードブックサイズであることを直接決定する。第3の可能な実施態様では、UEが第1の指示情報を受信しない場合には、UEはフィードバック情報のコードブックサイズが第1のコードブックサイズであることを決定する。
【００６３】
任意選択的に、第1の指示情報はダウンリンク制御情報内の情報である。例えば、第1の指示情報は、第2のダウンリンクサブフレーム集合内のダウンリンクサブフレームをスケジューリングするために使用されるダウンリンク制御情報内の情報である（または、第1の指示情報は、第2のダウンリンクサブフレーム集合内のダウンリンクサブフレームをスケジューリングするために基地局によって使用される制御チャネル上で搬送されてもよい）。任意選択的に、第1の指示情報は、副コンポーネントキャリア上のPDSCHをスケジューリングするために使用される副PDCCH内の2ビットフィールドを使用することによってコードブックサイズを示してもよいし、あるいは、主コンポーネントキャリア上のPDSCHをスケジューリングするために使用される主PDCCH内の2ビットフィールドを使用することによってコードブックサイズを示してもよく、主PDCCHのダウンリンク割り当てインデックス（Downlink Assignment Index、略してDAI）フィールドの値は1より大きい。任意選択的に、第1の指示情報を示すために使用される対応するビットフィールドの各状態の解析情報は、UEに対して予め構成されているので、基地局によって送信された第1の指示情報を受信すると、UEは、対応するビットフィールドおよび予め構成された解析情報に従って、フィードバック情報であり、かつ基地局によって示されるコードブックサイズを決定する。例えば、副PDCCH内の2ビットフィールドの4つの状態の解析情報と、1より大きいDAIフィールド値を有する主PDCCH内の2ビットフィールドの4つの状態の解析情報は、UEに対して予め構成される。例えば、UEは、上位レイヤの無線リソース制御（Radio Resource Control、略してRRC）シグナリングを使用することによって、2ビットの4つの状態の解析情報を取得する。例えば、｛00，01，10，11｝はそれぞれ｛第1のコードブックサイズ、第1のコードブックサイズ、第2のコードブックサイズ、第2のコードブックサイズ｝に解析される。予め構成された情報に基づいて、UEが副PDCCHを受信し、2ビットの状態が01である場合には、UEは、第1の指示情報に従って、フィードバック情報のコードブックサイズが第1コードブックサイズであると決定する。任意選択的に、第1のダウンリンクサブフレーム集合が第3の部分集合、第4の部分集合、および第5の部分集合をさらに含む場合には、それに対応して、第3のコードブックサイズ、第4のコードブックサイズ、および第5のコードブックサイズがさらに含まれる。この場合、2ビットは5つのコードブックサイズのすべてを示すことはできない。任意選択的に、第1の指示情報は、副コンポーネントキャリア上のPDSCHをスケジューリングするために使用される副PDCCH内の3ビットフィールドを使用することによってコードブックサイズを示してもよいし、あるいは、主コンポーネントキャリア上のPDSCHをスケジューリングするために使用される主PDCCH内の3ビットフィールドを使用することによってコードブックサイズを示してもよく、主PDCCHのDAIフィールドの値は1より大きい。確かに、本発明のこの実施形態では、第1の指示情報は別の方法で表されてもよく、詳細についてはここで再び説明しない。
【００６４】
本発明のこの実施形態では、UEは、場合によっては第1の指示情報を受信しないことがある。例えば、FDDシステムの場合、UEは、基地局によって送信され、主コンポーネントキャリア上でPDSCHをスケジューリングするために使用される主PDCCHのみを受信し（すなわち、主PDCCHは第1の指示情報を含まない）、あるいはTDDシステムの場合、UEは、基地局によって送信され、主コンポーネントキャリア上のPDSCHをスケジューリングするために使用される主PDCCHのみを受信し、主PDCCHではDAI＝1である（すなわち、主PDCCHは第1の指示情報を含まない）。あるいは、UEは制御チャネルの検出に失敗するので、UEが第1の指示情報を含まない制御チャネルのみを受信した場合には、UEは、第1の指示情報に従ってフィードバック情報のコードブックサイズを決定することができない。フィードバック情報のコードブックサイズが第2のコードブックサイズであると決定された場合には、UEおよび基地局は、第1の部分集合を越えてダウンリンクサブフレームをスケジューリングするために使用されるすべての制御チャネルの検出にUEが本当に失敗した場合にのみ一貫した理解を有するが、しかし、そのような場合の確率は比較的低い。さらに、第1のコードブックサイズを選択するリスクは、UEおよび基地局が、第1の部分集合を超えてダウンリンクサブフレームをスケジューリングするために使用されるすべての制御チャネルの検出に失敗した場合にのみコードブックサイズの矛盾した理解を有することであるが、明らかに、そのような場合の確率は非常に低い。したがって、UEがより多くの量の制御チャネルの検出に失敗する確率は、UEがより小さい量の制御チャネルの検出に失敗する確率よりもずっと低いので、UEは、フィードバック情報のコードブックサイズが第1のコードブックサイズであると決定する。すなわち、実際にUEによって受信されるいくつかのPDCCHは、第1の指示情報を含むが、実際にUEによって受信されるいくつかのPDCCHは、第1の指示情報を含まない。UEは、第1の指示情報を含まないPDCCHのみを受信すると、フィードバック情報のコードブックサイズが第1のコードブックサイズであると決定する。それに対応して、基地局およびUEがフィードバック情報のコードブックサイズの一貫した理解を確実にするために、基地局が主コンポーネントキャリア上でPDSCHをスケジューリングするために使用される主PDCCHのみを、または主コンポーネントキャリア上のPDSCH（主PDCCHではDAI＝1）をスケジューリングするために使用される主PDCCHのみを、UEに送信する場合には、任意選択的に、基地局は、フィードバック情報のコードブックサイズが第1のコードブックサイズであると決定し、第1のコードブックサイズに従って、UEによってフィードバックされた符号化されたACK／NACK情報を受信する。
【００６５】
任意選択的に、UEがフィードバック情報のコードブックサイズを決定すること以下を含む。UEが基地局によって送信された第2の指示情報を受信し、第2の指示情報が第1のコードブックサイズを示す場合には、UEが、フィードバック情報のコードブックサイズが第1のコードブックサイズであることを決定し、または、UEが基地局によって送信された第2の指示情報を受信し、第2の指示情報が第2のコードブックサイズを示す場合には、UEが、フィードバック情報のコードブックサイズが第2のコードブックサイズであることを決定し、または、UEが第2の指示情報を受信しない場合には、UEが、フィードバック情報のコードブックサイズが所定のコードブックサイズであることを決定し、所定のコードブックサイズは、第1のコードブックサイズまたは第2のコードブックサイズである。
【００６６】
本発明のこの実施形態では、第1の可能な実施態様において、フィードバック情報のコードブックサイズが第1のコードブックサイズであると決定した後に、基地局は、第1のコードブックサイズを含む第2の指示情報（すなわち、コードブックサイズ指示情報）をUEに通知し、UEが基地局によって送信された第2の指示情報を受信した場合には（第2の指示情報は、フィードバック情報であり、かつ基地局によって決定されたコードブックサイズが、第1のコードブックサイズであることを示す）、UEは、フィードバック情報のコードブックサイズが第1のコードブックサイズであることを直接決定する。本発明のこの実施形態では、第2の可能な実施態様において、フィードバック情報のコードブックサイズが第2のコードブックサイズであると決定した後に、基地局は、第2のコードブックサイズを含む第2の指示情報（すなわち、コードブックサイズ指示情報）をUEに通知し、UEが基地局によって送信された第2の指示情報を受信した場合には（第2の指示情報は、フィードバック情報であり、かつ基地局によって決定されたコードブックサイズが、第2のコードブックサイズであることを示す）、UEは、フィードバック情報のコードブックサイズが第2のコードブックサイズであることを直接決定する。第3の実施態様では、UEが第2の指示情報を受信しない場合には、UEが、フィードバック情報のコードブックサイズが所定のコードブックサイズであることを決定し、所定のコードブックサイズは、第1のコードブックサイズまたは第2のコードブックサイズである。
【００６７】
任意選択的に、第2の指示情報は、PUSCHをスケジューリングするために使用されるアップリンクスケジューリング情報内の情報である。例えば、第2の指示情報は、現在ACK／NACKおよびアップリンクデータを搬送するために使用されているPUSCHをスケジューリングするための制御チャネル（すなわち、アップリンクスケジューリンググラント）の指示情報である（または、第2の指示情報は、PUSCHをスケジューリングするために基地局によって使用される制御チャネルで搬送される）。任意選択的に、第2の指示情報は、アップリンクスケジューリンググラントにおけるダウンリンク割り当てインジケータ（Uplink＿Downlink assignment indicator、略してUL＿DAI）のインジケータフィールド、アップリンクスケジューリンググラントにおけるアップリンクスケジューリングインデックス（Uplink index、略してUL＿index）のインジケータフィールド、または新たに追加されたビットを用いてコードブックサイズを示すことができる。例えば、第2の指示情報は、新たに追加された1ビットまたはUL＿DAIの現在の2ビットのうちの1ビットを使用して、フィードバック情報のコードブックサイズが第1のコードブックサイズまたは第2のコードブックサイズであることを示してもいし、あるいは、少なくとも2ビットを使用して、より多くのレベルのコードブックサイズを示してもよい。任意選択的に、第2の指示情報を示すために使用される対応するビットフィールドの各状態の解析情報は、UEに対して予め構成されているので、基地局によって送信された第2の指示情報を受信すると、UEは、対応するビットフィールドおよび予め構成された解析情報に従って、フィードバック情報であり、かつ基地局によって示されるコードブックサイズを決定する。例えば、第2の指示情報が1ビットを用いて表される場合には、1ビットの2つの状態は別々に｛0，1｝であり、対応する解析情報は別々に｛第1のコードブックサイズ、第2のコードブックサイズ｝である。予め構成された情報に基づいて、UEがアップリンクスケジューリング情報（すなわち、第2の指示情報）を受信し、その1ビットの状態が0である（すなわち、第2の指示情報が第1のコードブックサイズを示す）場合には、UEは、第2の指示情報に従って、フィードバック情報のコードブックサイズが第1のコードブックサイズであると決定する。確かに、本発明のこの実施形態では、第2の指示情報は別の方法で表されてもよく、詳細についてはここで再び説明しない。
【００６８】
本発明の実施形態では、場合によってはUEが第2の指示情報を受信しないことがあり、例えば、半永久的PUSCHスケジューリングシナリオでアップリンクスケジューリンググラントが送信されない場合には、UEは、フィードバック情報は所定のコードブックサイズであると決定することができ、所定のコードブックサイズは第1のコードブックサイズまたは第2のコードブックサイズである。それに対応して、基地局およびUEがフィードバック情報のコードブックサイズの一貫した理解を有することを確実にするために、基地局はまた、フィードバック情報のコードブックサイズは所定のコードブックサイズであると決定する（任意選択的に、どのコードブックサイズがこのシナリオにおけるフィードバック情報のコードブックサイズとして決定されるかは予め構成される）。
【００６９】
任意選択的に、UEがフィードバック情報のコードブックサイズを決定することは以下を含む。UEが基地局によって送信された第1の指示情報および第2の指示情報を受信し、第1の指示情報および第2の指示情報が第1のコードブックサイズを示す場合には、UEは、フィードバック情報のコードブックサイズが第1のコードブックサイズであることを決定する、または、UEが基地局によって送信された第1の指示情報および第2の指示情報を受信し、第1の指示情報および第2の指示情報が第2のコードブックサイズを示す場合には、UEは、フィードバック情報のコードブックサイズが第2のコードブックサイズであることを決定する、または、UEが第1の指示情報を受信しない場合には、UEは、フィードバック情報のコードブックサイズが第1のコードブックサイズであることを決定する、または、UEが第1の指示情報を受信しないが第2の指示情報を受信した場合には、UEは、フィードバック情報のコードブックサイズが第2の指示情報によって示される第1のコードブックサイズまたは第2のコードブックサイズであることを決定する、または、UEが第1の指示情報を受信せず、第2の指示情報も受信しない場合には、UEは、フィードバック情報のコードブックサイズが第1のコードブックサイズであることを決定する。
【００７０】
本発明のこの実施形態では、基地局は、第1の指示情報と第2の指示情報の両方を使用してフィードバック情報のコードブックサイズを示すことができる。任意選択的に、第1の指示情報はダウンリンク制御情報内の情報である。例えば、第1の指示情報は、第2のダウンリンクサブフレーム集合内のダウンリンクサブフレームをスケジューリングするために用いられるダウンリンク制御情報内の情報である。第1の指示情報の特定の指示方法については、第1の指示情報に従ってUEによるフィードバック情報のコードブックサイズを決定する記述における第1の指示情報の指示方法に関する部分を参照されたい。したがって、ここでは詳細については再度の説明を省略する。任意選択的に、第2の指示情報は、PUSCHをスケジューリングするために使用されるアップリンクスケジューリング情報内の情報である。例えば、第2の指示情報は、現在ACK／NACKおよびアップリンクデータを搬送するために使用されているPUSCHをスケジューリングするための制御チャネル（すなわち、アップリンクスケジューリンググラント）の指示情報である。任意選択的に、第2の指示情報は、UL＿DAIのインジケータフィールド、UL＿indexのインジケータフィールド、または新たに追加されたビットを使用することによってコードブックサイズを示すことができる。例えば、第2の指示情報は、新しく追加された1ビットまたはUL＿DAIの現在の2ビットの1ビットを使用してフィードバック情報のコードブックサイズを示してもよいし、あるいは少なくとも2ビットを使用してより多くのレベルのコードブックサイズを示してもよい。任意選択的に、第1の指示情報および第2の指示情報を示すために使用される対応するビットフィールドの各状態の解析情報は、UEに対して予め構成されているので、基地局によって送信された第1の指示情報および／または第2の指示情報を受信すると、UEは、対応するビットフィールドおよび予め構成された解析情報に従って、フィードバック情報であり、かつ基地局によって示されるコードブックサイズを決定する。
【００７１】
本発明のこの実施形態では、第1の指示情報は2ビットで表現され、第1の指示情報の4つのビット状態は｛00，01，10，11｝であり、対応する解析情報は別々に｛第1のコードブックサイズ、第1のコードブックサイズ、第2のコードブックサイズ、第2のコードブックサイズ｝である。第2の指示情報は1ビットを用いて表現され、1ビットの2つの状態は別々に｛0，1｝であり、対応する解析情報は別々に｛第1のコードブックサイズ、第2のコードブックサイズ｝であると仮定する。（1）UEが第1の指示情報および第2の指示情報を受信し、2ビットの状態が｛00｝であり、1ビットの状態が｛0｝である場合には、UEは、予め構成された情報に基づいて、フィードバック情報のコードブックサイズが第1のコードブックサイズであることを直接決定する。（2）UEが第1の指示情報および第2の指示情報を受信し、2ビットの状態が｛10｝であり、1ビットの状態が｛1｝である場合には、UEは、フィードバック情報のコードブックサイズが第2のコードブックサイズであることを直接決定する。（3）UEが第1の指示情報を受信しない場合には、UEは、フィードバック情報のコードブックサイズが第1のコードブックサイズであると直接決定することができる。（4）UEが第1の指示情報を受信しないが第2の指示情報を受信した場合には、UEは、フィードバック情報のコードブックサイズが第2の指示情報によって示される第1のコードブックサイズまたは第2のコードブックサイズであると決定する。例えば、1ビットの状態が￥｛1￥｝である場合には、UEは、フィードバック情報のコードブックサイズが第2のコードブックサイズであると直接決定する。（5）UEが第1の指示情報または第2の指示情報を受信しない場合には、フィードバック情報のコードブックサイズが第1のコードブックサイズであると直接決定し、同様に、基地局が第1の指示情報または第2の指示情報をUEに送信しない場合には、基地局は、第1のコードブックサイズに従って、UEによってフィードバックされた符号化されたACK／NACK情報を受信する。
【００７２】
任意選択的に、1ビットの2つのビット状態は、第1の指示情報によって示される第1のコードブックサイズまたは第2のコードブックサイズに基づいてさらに分割されてもよい（任意選択的に、第2の指示情報はさらに第3のコードブックサイズを示してもよい）。第1の指示情報のビット状態が10である場合には、第2のコードブックサイズが示される（すなわち、第1の指示情報は第2のコードブックサイズを示す）（具体的には、第2のコードブックサイズは第2の部分集合に対応する）。（1）この場合、第2の指示情報のビット状態が0である場合には、第1の指示情報が示す第2のコードブックサイズに従って、第2の部分集合に対応する第2のコードブックサイズに従ってACK／NACKが符号化されることを示し、UEは、フィードバック情報のコードブックサイズが第2のコードブックサイズであると決定する。（2）この場合、第2の指示情報のビット状態が1である場合には、フィードバック情報の決定されたコードブックサイズは、第2のコードブックサイズより小さいが第1のコードブックサイズより大きい第3のコードブックサイズであることを示すことができる。第3のコードブックサイズは、第3の部分集合に含まれるダウンリンクサブフレームの量に従って決定される。第3の部分集合は、第2の部分集合の部分集合であってもよく、第3の部分集合に含まれるダウンリンクサブフレームの量は、第1の部分集合に含まれるダウンリンクサブフレームの量より大きい。第3の部分集合に含まれるダウンリンクサブフレームは、第1の部分集合のダウンリンクサブフレームとは異なる。任意選択的に、第3の部分集合は第1の部分集合を含んでもよいし、または第1の部分集合と部分的に重複してもよいし、または第1の部分集合と重複しなくてもよい。
【００７３】
任意選択的に、第2の指示情報はさらに第4のコードブックサイズを示すことができ、その詳細は以下の通りである。場合によっては、UEは第1の指示情報を受信しないことがあり、この場合には、フィードバック情報のコードブックサイズは2つの解決策に従って決定することができる。（1）解決策1：フィードバック情報のコードブックサイズは第1のコードブックサイズであるとUEが直接決定するので、第1部分集合に対応する第1コードブックサイズに従ってACK／NACKが符号化され、それに対応して、基地局は第1のコードブックサイズに従って符号化されたACK／NACK情報を受信する。（2）解決策2：UEが第2の指示情報を受信した場合には、UEは、第2の指示情報に従って、フィードバック情報のコードブックサイズが第1のコードブックサイズまたは第2のコードブックサイズであると決定する。任意選択的に、第2の指示情報は、UL＿DAIのインジケータフィールド、UL＿indexのインジケータフィールド、または新たに追加されたビットを使用することによってコードブックサイズを示すことができる。例えば、第2の指示情報は、新しく追加された1ビットまたはUL＿DAIの現在の2ビットの1ビットを使用してフィードバック情報のコードブックサイズを示してもよいし、あるいは少なくとも2ビットを使用してより多くのレベルのコードブックサイズを示してもよい。任意選択的に、第2の指示情報を示すために使用される対応するビットフィールドの各状態の解析情報は、UEに対して予め構成されているので、UEが第1の指示情報を受信しないが、基地局によって送信された第2の指示情報を受信した場合には、UEは、対応するビットフィールドおよび予め構成された解析情報に従ってフィードバック情報のコードブックサイズを決定する。例えば、第2の指示情報が1ビットを用いて表される場合には、1ビットの2つの状態は別々に｛0，1｝であり、対応する解析情報は別々に｛第1のコードブックサイズ、第4のコードブックサイズ｝である。予め構成された情報に基づいて、UEがアップリンクスケジューリング情報（すなわち、第2の指示情報）を受信した際に、その1ビットの状態が0であれば、UEは、第2の指示情報に従って、フィードバック情報のコードブックサイズは第1のコードブックサイズであると決定し、あるいはその1ビットの状態が1であれば、UEは、第2の指示情報に従って、フィードバック情報のコードブックサイズは第4のコードブックサイズであると決定する。第4のコードブックサイズは、第1のコードブックサイズよりも小さく、第4のコードブックサイズは、第4の部分集合に含まれるダウンリンクサブフレームの量に従って決定され、第4の部分集合は、第1の部分集合の部分集合であってもよい。
【００７４】
任意選択的に、UEが、第2のダウンリンクサブフレーム集合と第1の部分集合と第2の部分集合との関係に従って、フィードバック情報のコードブックサイズを決定するプロセスは、以下の通りである。
【００７５】
任意選択的に、ステップS101は、UEが、基地局によってスケジューリングされたダウンリンクサブフレームにおいて、ダウンリンクデータを受信することを含む。基地局によってスケジューリングされたダウンリンクサブフレームは、第2のダウンリンクサブフレーム集合を構成し、第2のダウンリンクサブフレーム集合は、第1のダウンリンクサブフレーム集合の部分集合である。
【００７６】
UEがフィードバック情報のコードブックサイズを決定することは、以下を含む。第2のダウンリンクサブフレーム集合が第1の部分集合の部分集合である場合には、UEは、フィードバック情報のコードブックサイズが第1のコードブックサイズであることを決定する、または、第2のダウンリンクサブフレーム集合が、第2の部分集合内にあり、かつ第1の部分集合に属さないダウンリンクサブフレームのみを含む場合には、UEは、フィードバック情報のコードブックサイズが第1のコードブックサイズまたは第2のコードブックサイズであることを決定する、または、第2のダウンリンクサブフレーム集合が、第1の部分集合内のダウンリンクサブフレームと、第2の部分集合内にあり、かつ第1の部分集合に属さないダウンリンクサブフレームと、を含み、第2のダウンリンクサブフレーム集合が、第1の部分集合および第2の部分集合を超えるダウンリンクサブフレームを含まない場合には、UEは、フィードバック情報のコードブックサイズが第2のコードブックサイズであることを決定する。
【００７７】
S104：UEは、符号化されたフィードバック情報を取得するために、コードブックサイズに従ってフィードバック情報を符号化する。
【００７８】
本発明のこの実施形態では、UEは、第1のコードブックサイズまたは第2のコードブックサイズなどの、ステップS103で決定されたコードブックサイズに従って、フィードバック情報に対してRM符号化または畳み込み符号化を実行し、符号化フィードバック情報を取得する。任意選択的に、本発明のこの実施形態では、別の符号化方法を使用することができ、詳細についてはここで再び説明しない。任意選択的に、コードブック内のACK／NACKは、キャリア番号とサブフレーム番号に従ってランク付けされ、第1の部分集合または第2の部分集合内にあるがスケジューリングされていないダウンリンクサブフレームに対応するACK／NACKの位置でゼロ充填が実行される。
【００７９】
S105：UEは、符号化されたフィードバック情報を物理アップリンク共有チャネルPUSCHにマッピングし、PUSCHを使用して、符号化されたフィードバック情報をアップリンクサブフレームで基地局に送信する。
【００８０】
本発明のこの実施形態では、アップリンクサブフレームにおいてアップリンクデータを送信するために用いられるPUSCHを生成し、符号化されたフィードバック情報に対してレートマッチングおよびシンボル変調を実行し、符号化されたフィードバック情報を物理アップリンク共有チャネルPUSCHにマッピングし、送信する必要があるアップリンクデータおよび符号化されたフィードバック情報を、PUSCHを用いてアップリンクサブフレームで基地局に送信する。このようにして、LTEシステムのアップリンクシングルキャリア特性が維持され、アップリンク送信電力の効率が改善される。
【００８１】
本発明のこの実施形態では、ユーザ機器UEはダウンリンクデータを受信し、UEはダウンリンクデータに対応するフィードバック情報をフィードバックするために使用されるアップリンクサブフレームを決定し、アップリンクサブフレームに関連する第1のダウンリンクサブフレーム集合を決定する。第1のダウンリンクサブフレーム集合は、第1の部分集合および第2の部分集合を含み、第1の部分集合は第2の部分集合の真部分集合である。さらに、UEはフィードバック情報のコードブックサイズを決定する。コードブックサイズは、第1のコードブックサイズまたは第2のコードブックサイズであり、第1のコードブックサイズは、第1の部分集合に含まれるダウンリンクサブフレームの量に対応し、第2のコードブックサイズは、第2の部分集合に含まれるダウンリンクサブフレームの量に対応する。さらに、UEは、コードブックサイズに従ってフィードバック情報を符号化して、符号化されたフィードバック情報を取得し、次にUEは、符号化されたフィードバック情報を物理アップリンク共有チャネルPUSCHにマッピングし、符号化されたフィードバック情報を、PUSCHを用いてアップリンクサブフレームにおいて基地局に送信する。すなわち、UEは、基地局によって実際にスケジューリングされたダウンリンクサブフレームの状態に従って、フィードバック情報のコードブックサイズを決定することができる。このように、PUSCHは、より多くのビットのACK／NACK情報を搬送することができ、PUSCHにおけるACK／NACKの性能およびアップリンクデータの性能が改善されるか、あるいは、PUSCHにおいてACK／NACKの性能がアップリンクデータの性能と同じであることが保証される場合には、リソースオーバーヘッドが低減される。
【００８２】
さらに、UEが制御チャネルの検出に失敗する可能性があるので、UEと基地局がフィードバック情報のコードブックサイズの矛盾した理解を有するという問題をどのように解決するかを以下に説明する。基地局が第1の部分集合内のダウンリンクサブフレームをスケジューリングし、さらに第2の部分集合内にあり、かつ第1の部分集合に属していないダウンリンクサブフレームをスケジューリングする場合には、基地局は、UEが第2のコードブックサイズを使用してACK／NACKを符号化することを期待する。しかし、UEが制御チャネルの検出に失敗したために、第1の部分集合内のダウンリンクサブフレームをスケジューリングするために使用される制御チャネルのみを受信した場合には、UEは第1のコードブックサイズを用いてACK／NACKを符号化する。その結果、UEと基地局は矛盾した理解を有し、最終的にACK／NACKが誤って復号化される可能性がある。本発明のこの実施形態では、符号化されたフィードバック情報は、異なるスクランブルコードを用いてスクランブルされるので、基地局は、異なるスクランブルコードを用いてスクランブル処理を行うことにより、フィードバック情報であり、UEがフィードバック情報を符号化するときに使用されるコードブックサイズを知ることができるこのようにして、基地局とUEがフィードバック情報のコードブックサイズの矛盾した理解を有するという問題が回避される。
【００８３】
任意選択的に、UEが符号化されたフィードバック情報をPUSCHにマッピングする前に、本方法は、コードブックサイズが第1のコードブックサイズである場合には、UEが第1のスクランブルコードを使用して、符号化されたフィードバック情報をスクランブルするステップ、または、コードブックサイズが第2のコードブックサイズである場合には、UEが第2のスクランブルコードを使用して、符号化されたフィードバック情報をスクランブルするステップをさらに含む。
【００８４】
本発明のこの実施形態では、フィードバック情報の決定されたコードブックサイズが第1のコードブックサイズである場合には、UEは、第1のスクランブルコードを使用して符号化されたフィードバック情報をスクランブルする、または、フィードバック情報の決定されたコードブックサイズが第2コードブックサイズである場合には、UEは、第2のスクランブルコードを用いて符号化されたフィードバック情報をスクランブルするので、基地局は、異なるスクランブルコードを用いてスクランブリング処理を行うことにより、フィードバック情報であり、UEによって決定されたコードブックサイズを知ることができる。このようにして、UEは基地局とのコードブックサイズの一貫した理解を維持する。
【００８５】
任意選択的に、コードブックサイズが第1のコードブックサイズである場合には、UEが、符号化されたフィードバック情報を得るために、コードブックサイズに従ってフィードバック情報を符号化することは、UEが、第1の符号化されたフィードバック情報を得るために、第1のコードブックサイズに従ってフィードバック情報を符号化することを含み、UEが符号化されたフィードバック情報をPUSCHにマッピングすることは、UEが、基地局によって構成された第1の比例係数を決定し、第1の比例係数に従って第1のシンボル量を決定し、第1のシンボル量は、第1の符号化されたフィードバック情報をPUSCHにマッピングするために占有される必要があるシンボルの量であり、UEが、第1のシンボル量に従って第1の符号化されたフィードバック情報をPUSCHにマッピングすることを含む。
【００８６】
あるいは、コードブックサイズが第2のコードブックサイズである場合には、UEが、符号化されたフィードバック情報を得るために、コードブックサイズに従ってフィードバック情報を符号化することは、UEが、第2の符号化されたフィードバック情報を得るために、第2のコードブックサイズに従ってフィードバック情報を符号化することを含み、UEが符号化されたフィードバック情報をPUSCHにマッピングすることは、UEが、基地局によって構成された第2の比例係数を決定し、第2の比例係数に従って第2のシンボル量を決定し、第2のシンボル量は、第2の符号化されたフィードバック情報をPUSCHにマッピングするために占有される必要があるシンボルの量であり、UEが、第2のシンボル量に従って第2の符号化されたフィードバック情報をPUSCHにマッピングすることを含む。
【００８７】
本発明のこの実施形態では、第1のコードブックサイズが第1の部分集合に対応し、第2のコードブックサイズが第2の部分集合に対応するので、第1のコードブックサイズおよび第2のコードブックサイズは、元のACK／NACKビットの異なる量を表す。第2のコードブックサイズは、第1のコードブックサイズより大きい。したがって、第1のコードブックサイズまたは第2のコードブックサイズに基づいて、変調シンボルの量を占有するACK／NACK情報がPUSCHにマッピングされる場合には、これに対応して、第1の比例係数または第2の比例係数が独立に構成されるので、第1のコードブックサイズに基づいて符号化されたACK／NACKの性能は、第2のコードブックサイズに基づいて符号化されたACK／NACKの性能と一致する。（1）コードブックサイズが第1のコードブックサイズである場合には、UEは、第1の符号化されたフィードバック情報を得るために、第1のコードブックサイズに従ってフィードバック情報を符号化し、さらにUEは、基地局によって構成された第1の比例係数を決定し、第1の比例係数に従って、第1の符号化されたフィードバック情報をPUSCHにマッピングするために占有される必要がある第1のシンボル量を決定し、さらにUEは、第1のシンボル量に従って第1の符号化されたフィードバック情報をPUSCHにマッピングする。（2）コードブックサイズが第2のコードブックサイズである場合には、UEは、第2の符号化されたフィードバック情報を得るために、第2のコードブックサイズに従ってフィードバック情報を符号化し、さらにUEは、基地局によって構成された第2の比例係数を決定し、第2の比例係数に従って、第2の符号化されたフィードバック情報をPUSCHにマッピングするために占有される必要がある第2のシンボル量を決定し、さらにUEは、第2のシンボル量に従って第2の符号化されたフィードバック情報をPUSCHにマッピングする。
【００８８】
第1の比例係数および第2の比例係数は、PUSCHにおけるACK／NACKの符号化率に対するアップリンクデータの符号化率の比をそれぞれ表し、この比は具体的には、以下の式を用いて求めることができる。
【００８９】
【数１】
0006478304.tif 000004
【００９０】
MPUSCH−initialは、現在のアップリンクデータが最初にスケジューリングされたときにスケジューリングされたPUSCHが占有する周波数領域サブキャリアの量を表し、MPUSCHは、現在のアップリンクデータが現在のサブフレームにおいてスケジューリングされたときにスケジューリングされたPUSCHが占有する周波数領域サブキャリアの量を表し、NPUSCH−initialは、現在のアップリンクデータが最初にスケジューリングされたときにスケジューリングされたPUSCHが占有する時間領域シンボルの量を表す。Krは、符号化前のアップリンクデータの最初のビット量であり、Cは、アップリンクデータのコードブロック量であり、Oは、ACK／NACKのコードブックサイズであり、Q’は、PUSCHにおいて符号化されたACK／NACKが占有する変調シンボルの量である。4とMとの積は、ACK／NACKがPUSCH内の最大4つのOFDMシンボル上の変調シンボルを占有することを表し、MとNとの積は、アップリンクデータに対してスケジューリングされた変調シンボルの量を表す。βPUSCHは、PUSCHにおけるACK／NACKの符号化率に対するアップリンクデータの符号化率の比、すなわち第1の比例係数または第2の比例係数を表す。
【００９１】
図2は、本発明による通信システムにおけるフィードバック情報伝送方法の実施形態2の概略的なフローチャートである。通信システムにおける上記のフィードバック情報伝送方法の実施形態1に基づいて、この実施形態を基地局側で詳細に説明する。図2に示すように、この実施形態の方法は、以下のステップを含むことができる。
【００９２】
S201：基地局は、ダウンリンクデータをユーザ機器UEに送信する。
【００９３】
本発明のこの実施形態では、基地局は、基地局によってスケジューリングされたダウンリンクサブフレームでUEにダウンリンクデータを送信することができる。基地局によってスケジューリングされたダウンリンクサブフレームは、第2のダウンリンクサブフレーム集合を構成する。すなわち、第2のダウンリンクサブフレーム集合内のダウンリンクサブフレームは、基地局によって実際にスケジューリングされたサブフレームである。任意選択的に、ステップS201の前に、本方法は、基地局がダウンリンク制御情報をUEに送信するステップをさらに含む。例えば、基地局は、ダウンリンク制御チャネルを用いてダウンリンク制御情報をUEに送信し、基地局がスケジューリングしたダウンリンクサブフレームで、ダウンリンクデータをPDSCHを用いてUEに送信する。任意選択的に、ダウンリンク制御チャネルは、PDCCHまたはEPDCCHであってもよい。
【００９４】
S202：基地局は、UEによって送信され、かつダウンリンクデータに対応するフィードバック情報を受信するために使用されるアップリンクサブフレームを決定する。
【００９５】
本発明のこの実施形態では、基地局は、ダウンリンクサブフレームで受信されたダウンリンクデータに対応するフィードバック情報をフィードバックするためにUEによって使用されるダウンリンクサブフレームとアップリンクサブフレームとの間の予め設定された時系列関係に従って、UEによって送信され、かつダウンリンクデータに対応するフィードバック情報を受信するために使用されるアップリンクサブフレームを送信する。任意選択的に、フィードバック情報は、確認応答ACK情報または否定応答NACK情報などの、ダウンリンクデータが正しく受信されたかどうかを判定するために使用される情報である。アップリンクサブフレームに関連するすべての予め構成されたダウンリンクサブフレームは、第1のダウンリンクサブフレーム集合を構成する（すなわち、第1のダウンリンクサブフレーム集合は、アップリンクサブフレームに対して基地局によって構成されるすべてのダウンリンクサブフレームを含む）。例えば、UEに対してキャリア1〜5が構成され、各キャリアがTDD構成2を有し、主コンポーネントキャリア上のアップリンクサブフレーム2に関連する第1のダウンリンクサブフレーム集合は、キャリア1〜5上にサブフレーム4、5、6、8を含み、合計20個のサブフレームを含むと仮定する。基地局は、瞬時に第1のダウンリンクサブフレーム集合内のすべてのダウンリンクサブフレームをスケジューリングしないので、第2のダウンリンクサブフレーム集合は、第1のダウンリンクサブフレーム集合の部分集合である。CAがより多くのキャリア上で実行されると、第2のダウンリンクサブフレーム集合は第1のダウンリンクサブフレーム集合よりはるかに小さいので、第1のダウンリンクサブフレーム集合に基づいてフィードバック情報のコードブックサイズが決定される場合に比較的大きなオーバーヘッドが生じる。本発明のこの実施形態では、フィードバック情報コードブックの動的フォールバックメカニズムが提供され、第1のダウンリンクサブフレーム集合は第1の部分集合および第2の部分集合を含み、第1の部分集合は第2の部分集合の真部分集合である。したがって、フィードバック情報のコードブックサイズは、第1の部分集合または第2の部分集合内のダウンリンクサブフレームの量に従ってさらに決定され、それによってリソースオーバーヘッドを低
減する。任意選択的に、第2の部分集合は、第1のダウンリンクサブフレーム集合と等しくてもよい。本発明のこの実施形態では、第1のダウンリンクサブフレーム集合は、第1の部分集合と第2の部分集合の2つの部分集合のみを含むが、これに限定されず、あるいは少なくとも2つの部分集合を含むことができることに留意されたい。例えば、第1のダウンリンクサブフレーム集合は、第3の部分集合または第4の部分集合をさらに含むことができる。
【００９６】
任意選択的に、本発明のこの実施形態では、基地局は、分割ルール指示シグナリングをUEに送信することができるので、UEは、分割ルール指示シグナリングに従って、第1の部分集合および第2の部分集合を決定する。あるいは、基地局は、決定された第1の部分集合および決定された第2の部分集合をUEに直接送信することができる。
【００９７】
S203：基地局はフィードバック情報のコードブックサイズを決定し、コードブックサイズは第1のコードブックサイズまたは第2のコードブックサイズである。
【００９８】
本発明のこの実施形態では、基地局は、実際にスケジューリングされたダウンリンクサブフレームの状態に従って、フィードバック情報のコードブックサイズを決定する。すなわち、基地局は、第2のダウンリンクサブフレーム集合内の第1の部分集合または第2の部分集合に従ってフィードバック情報のコードブックサイズを決定する。例えば、フィードバック情報であって、第1の部分集合に含まれるダウンリンクサブフレームの量に従って決定されるコードブックサイズは、第1のコードブックサイズであり、また、フィードバック情報のコードブックサイズであって、第2の部分集合に含まれるダウンリンクサブフレームの量に従って決定されるコードブックサイズは、第2のコードブックサイズである。フィードバック情報の決定されたコードブックサイズは、従来技術で第1のダウンリンクサブフレーム集合内のダウンリンクサブフレームの量に従ってUEによって決定されたコードブックサイズ以下であることが分かる。
【００９９】
さらに、フィードバック情報のコードブックサイズを決定した後に、基地局は、フィードバック情報の決定されたコードブックサイズをコードブックサイズ指示情報を用いてUEに通知し、UEは、コードブックサイズ指示情報に従ってフィードバック情報のコードブックサイズを決定する。このようにして、UEおよび基地局は、フィードバック情報のコードブックサイズの一貫した理解を有する。さらに、UEは、決定されたコードブックサイズに従ってフィードバック情報を符号化して、符号化されたフィードバック情報を得る。任意選択的に、コードブックサイズ指示情報は、第1の指示情報、第2の指示情報、または第1の指示情報および第2の指示情報の組み合わせであってもよい。第1の指示情報は、ダウンリンク制御情報内の情報であり、第2指示情報は、PUSCHのスケジューリングに用いられるアップリンクスケジューリング情報内の情報である。
【０１００】
S204：基地局は、フィードバック情報の決定されたコードブックサイズに従ってアップリンクサブフレームで、UEによって送信され、かつ物理アップリンク共有チャネルPUSCHにマッピングされたフィードバック情報を受信する。
【０１０１】
本発明のこの実施形態では、LTEシステムのアップリンクシングルキャリア特性を維持するために、UEは、符号化フィードバック情報を物理アップリンク共有チャネルPUSCHにマッピングし、アップリンクデータと符号化フィードバック情報の両方をPUSCHを使用してアップリンクサブフレームで基地局に送信する。それに対応して、基地局は、フィードバック情報の決定されたコードブックサイズに従ってアップリンクサブフレームで、UEによって送信されたアップリンクデータおよびフィードバック情報を受信する。任意選択的に、フィードバック情報は、UEがコードブックサイズに従ってフィードバック情報を符号化した後に得られる情報であってもよい。
【０１０２】
本発明のこの実施形態では、基地局は、ユーザ機器UEにダウンリンクデータを送信し、さらに、基地局は、UEによって送信され、かつダウンリンクデータに対応するフィードバック情報を受信するために使用されるアップリンクサブフレームを決定する。アップリンクサブフレームに関連する第1のダウンリンクサブフレーム集合は、第1の部分集合および第2の部分集合を含み、第1の部分集合は第2の部分集合の真部分集合である。さらに、基地局はフィードバック情報のコードブックサイズを決定する。コードブックサイズは、第1のコードブックサイズまたは第2のコードブックサイズであり、第1のコードブックサイズは、第1の部分集合に含まれるダウンリンクサブフレームの量に対応し、第2のコードブックサイズは、第2の部分集合に含まれるダウンリンクサブフレームの量に対応する。さらに、基地局は、フィードバック情報の決定されたコードブックサイズに従ってアップリンクサブフレームで、UEによって送信され、かつ物理アップリンク共有チャネルPUSCHにマッピングされたフィードバック情報を受信する。したがって、フィードバック情報のコードブックサイズは、実際に基地局によってスケジューリングされたダウンリンクサブフレームの状態に従って決定され得る。このように、PUSCHは、より多くのビットのACK／NACK情報を搬送することができ、PUSCHにおけるACK／NACKの性能およびアップリンクデータの性能が改善されるか、あるいは、PUSCHにおいてACK／NACKの性能がアップリンクデータの性能と同じであることが保証される場合には、リソースオーバーヘッドが低減される。
【０１０３】
任意選択的に、フィードバック情報のコードブックサイズを決定した後に、基地局が、コードブックサイズ指示情報を用いてフィードバック情報の決定されたコードブックサイズをUEに通知する特定のプロセスは以下の通りである。
【０１０４】
任意選択的に、ステップS204の前に、本方法は、基地局がフィードバック情報の決定されたコードブックサイズをUEに通知するために第1の指示情報を送信するステップ、または基地局が第1の指示情報をUEに送信しない場合には、基地局はフィードバック情報のコードブックサイズが第1のコードブックサイズであると決定するステップをさらに含む。
【０１０５】
本発明のこの実施形態では、基地局は、フィードバック情報の決定されたコードブックサイズをUEに通知するために、第1の指示情報（すなわち、コードブックサイズ指示情報）をUEに送信する。フィードバック情報であって、基地局によって決定されたコードブックサイズは、第1のコードブックサイズまたは第2のコードブックサイズである。任意選択的に、フィードバック情報のコードブックサイズが第1のコードブックサイズであると基地局が決定した場合には、基地局は、第1の指示情報を送信して、決定された第1のコードブックサイズをUEに通知し（すなわち、第1の指示情報は、フィードバック情報であって、かつ基地局によって決定されたコードブックサイズが第1のコードブックサイズであることを示す）、それによって、UEは、第1の指示情報に従って、フィードバック情報のコードブックサイズが第1のコードブックサイズであると決定する。基地局が第1の指示情報をUEに送信しない場合、例えば、FDDシステムでは、基地局が主コンポーネントキャリア上でPDSCHをスケジューリングするために使用される主PDCCHのみをUEに送信する（すなわち、主PDCCHが第1の指示情報を含まない）場合には、あるいはTDDシステムでは、基地局が主コンポーネントキャリア上のPDSCHおよび主PDCCHのDAI＝1をスケジューリングするために使用される主PDCCHのみをUEに送信する（すなわち、主PDCCHが第1の指示情報を含まない）場合には、フィードバック情報であって、基地局によって決定されたコードブックサイズは、第1のコードブックサイズである（同様に、UEが第1の指示情報を受信しない場合には、UEは、フィードバック情報のコードブックサイズが第1のコードブックサイズであると直接決定する）。
【０１０６】
任意選択的に、第1の指示情報の特定の指示方法については、第1の指示情報に従ってUEによるフィードバック情報のコードブックサイズを決定する記述における第1の指示情報の指示方法に関する部分を参照されたい。したがって、ここでは詳細については再度の説明を省略する。
【０１０７】
任意選択的に、ステップS204の前に、本方法は、基地局が、フィードバック情報の決定されたコードブックサイズをUEに通知するために、第2の指示情報を送信するステップ、または、基地局が第2の指示情報をUEに送信しない場合には、基地局が、フィードバック情報のコードブックサイズが所定のコードブックサイズであることを決定するステップをさらに含み、所定のコードブックサイズは、第1のコードブックサイズまたは第2のコードブックサイズである。
【０１０８】
本発明のこの実施形態では、基地局は、フィードバック情報の決定されたコードブックサイズをUEに通知するために、第2の指示情報（すなわち、コードブックサイズ指示情報）をUEに送信する。フィードバック情報であって、基地局によって決定されたコードブックサイズは、第1のコードブックサイズまたは第2のコードブックサイズである。任意選択的に、フィードバック情報のコードブックサイズが第1のコードブックサイズであると基地局が決定した場合には、基地局は、第2の指示情報を送信して、決定された第1のコードブックサイズをUEに通知し（すなわち、第2の指示情報は、フィードバック情報であって、かつ基地局によって決定されたコードブックサイズが第1のコードブックサイズであることを示す）、それによって、UEは、第2の指示情報に従って、フィードバック情報のコードブックサイズが第1のコードブックサイズであると決定する。基地局が第2の指示情報をUEに送信しない場合には、基地局は、フィードバック情報のコードブックサイズが所定のコードブックサイズであると決定し、所定のコードブックサイズは、第1のコードブックサイズまたは第2のコードブックサイズである。
【０１０９】
任意選択的に、第2の指示情報の特定の指示方法については、第2の指示情報に従ってUEによるフィードバック情報のコードブックサイズを決定する記述における第2の指示情報の指示方法に関する部分を参照されたい。したがって、ここでは詳細については再度の説明を省略する。
【０１１０】
任意選択的に、ステップS204の前に、本方法は、基地局が、フィードバック情報の決定されたコードブックサイズをUEに通知するために、第1の指示情報および第2の指示情報を送信するステップ、または、基地局が第1の指示情報をUEに送信しない場合には、基地局が、フィードバック情報のコードブックサイズが第1のコードブックサイズであることを決定するステップ、または、基地局が第1の指示情報をUEに送信しない場合には、基地局が、フィードバック情報の決定されたコードブックサイズをUEに通知するために、第2の指示情報を送信するステップ、または、基地局がUEに第1の指示情報を送信せず、第2の指示情報も送信しない場合には、基地局が、フィードバック情報のコードブックサイズが第1のコードブックサイズであることを決定するステップをさらに含む。
【０１１１】
本発明のこの実施形態では、基地局は、フィードバック情報の決定されたコードブックサイズをUEに通知するために、第1の指示情報および第2の指示情報（すなわち、コードブックサイズ指示情報）をUEに送信する。任意選択的に、第1の指示情報はダウンリンク制御情報内の情報である。例えば、第1の指示情報は、第1のダウンリンクサブフレーム集合内のダウンリンクサブフレームをスケジューリングするために用いられるダウンリンク制御情報内の情報である。第1の指示情報の特定の指示方法については、第1の指示情報に従ってUEによるフィードバック情報のコードブックサイズを決定する記述における第1の指示情報の指示方法に関する部分を参照されたい。したがって、ここでは詳細については再度の説明を省略する。任意選択的に、第2の指示情報は、PUSCHをスケジューリングするために使用されるアップリンクスケジューリング情報内の情報である。例えば、第2の指示情報は、現在ACK／NACKおよびアップリンクデータを搬送するために使用されているPUSCHをスケジューリングするための制御チャネル（すなわち、アップリンクスケジューリンググラント）の指示情報である。任意選択的に、第2の指示情報は、UL＿DAIのインジケータフィールド、UL＿indexのインジケータフィールド、または新たに追加されたビットを使用することによってコードブックサイズを示すことができる。例えば、第2の指示情報は、新しく追加された1ビットまたはUL＿DAIの現在の2ビットの1ビットを使用してフィードバック情報のコードブックサイズを示してもよいし、あるいは少なくとも2ビットを使用してより多くのレベルのコードブックサイズを示してもよい。任意選択的に、第1の指示情報および第2の指示情報を示すために使用される対応するビットフィールドの各状態の解析情報は、UEに対して予め構成されているので、基地局によって送信された第1の指示情報および／または第2の指示情報を受信すると、UEは、対応するビットフィールドおよび予め構成された解析情報に従って、フィードバック情報であり、かつ基地局によって示されるコードブックサイズを決定する。
【０１１２】
本発明のこの実施形態では、第1の指示情報は2ビットで表現され、第1の指示情報の4つのビット状態は｛00，01，10，11｝であり、対応する解析情報は別々に｛第1のコードブックサイズ、第1のコードブックサイズ、第2のコードブックサイズ、第2のコードブックサイズ｝である。第2の指示情報は1ビットを用いて表現され、1ビットの2つの状態は別々に｛0，1｝であり、対応する解析情報は別々に｛第1のコードブックサイズ、第2のコードブックサイズ｝であると仮定する。（1）フィードバック情報のコードブックサイズが第1のコードブックサイズであると基地局が決定した場合には、基地局は、第1の指示情報を送信して、フィードバック情報の決定されたコードブックサイズをUEに通知する。任意選択的に、2ビットの状態は｛00｝であり、1ビットの状態は｛0｝である。（2）基地局が第1の指示情報をUEに送信しない場合には、基地局は、フィードバック情報のコードブックサイズが第1のコードブックサイズであると決定する。（3）フィードバック情報のコードブックサイズが第1のコードブックサイズであると基地局が決定し、かつ、基地局が第1の指示情報をUEに送信しない場合には、基地局は、第2の指示情報を送信して、フィードバック情報の決定されたコードブックサイズをUEに通知する。任意選択的に、1ビットの状態は｛0｝である。（4）基地局が第1の指示情報または第2の指示情報をUEに送信しない場合には、基地局は、フィードバック情報のコードブックサイズが第1のコードブックサイズであると決定し、同様に、UEが第1の指示情報または第2の指示情報を受信しない場合には、UEは、フィードバック情報のコードブックサイズが第1コードブックサイズであると決定する（すなわち、基地局によって決定されたコードブックサイズは、UE側で決定されたコードブックサイズと一致する）。
【０１１３】
任意選択的に、1ビットの2つのビット状態は、第1の指示情報によって示される第1のコードブックサイズまたは第2のコードブックサイズに基づいてさらに分割されてもよい（任意選択的に、第2の指示情報はさらに第3のコードブックサイズを示してもよい）。第1の指示情報のビット状態が10である場合には、第2のコードブックサイズが示される（すなわち、第1の指示情報は第2のコードブックサイズを示す）（具体的には、第2のコードブックサイズは第2の部分集合に対応する）。（1）この場合、第1の指示情報が示す第2のコードブックサイズに従って、第2の指示情報のビット状態が0である場合には、フィードバック情報であって、基地局によって決定されたコードブックサイズは第2のコードブックサイズであることを示す。（2）この場合、第2の指示情報のビット状態が1である場合には、フィードバック情報であって、基地局によって決定されたコードブックサイズは、第2のコードブックサイズよりも小さく、第1のコードブックサイズよりも大きい第3のコードブックサイズであることを示すことができる。第3のコードブックサイズは、第3の部分集合に含まれるダウンリンクサブフレームの量に従って決定される。第3の部分集合は、第2の部分集合の部分集合であってもよく、第3の部分集合に含まれるダウンリンクサブフレームの量は、第1の部分集合に含まれるダウンリンクサブフレームの量より大きい。第3の部分集合に含まれるダウンリンクサブフレームは、第1の部分集合のダウンリンクサブフレームとは異なる。任意選択的に、第3の部分集合は第1の部分集合を含んでもよいし、または第1の部分集合と部分的に重複してもよいし、または第1の部分集合と重複しなくてもよい。
【０１１４】
任意選択的に、第2の指示情報はさらに第4のコードブックサイズを示すことができ、その詳細は以下の通りである。場合によっては、基地局は第1の指示情報をUEに送信しないことがあり、この場合には、フィードバック情報のコードブックサイズは2つの解決策に従って決定することができる。（1）解決策1：基地局は、フィードバック情報のコードブックサイズが第1コードブックサイズであると直接決定する（基地局によって決定されたコードブックサイズはUE側で決定されたコードブックサイズと一致する）。（2）解決策2：基地局は、第2の指示情報を送信して、フィードバック情報の決定されたコードブックサイズをUEに通知し、UEは第2の指示情報に従ってフィードバック情報のコードブックサイズを決定する。任意選択的に、第2の指示情報は、UL＿DAIのインジケータフィールド、UL＿indexのインジケータフィールド、または新たに追加されたビットを使用することによってコードブックサイズを示すことができる。例えば、第2の指示情報は、新しく追加された1ビットまたはUL＿DAIの現在の2ビットの1ビットを使用してフィードバック情報のコードブックサイズを示してもよいし、あるいは少なくとも2ビットを使用してより多くのレベルのコードブックサイズを示してもよい。任意選択的に、第2の指示情報を示すために使用される対応するビットフィールドの各状態の解析情報は、UEに対して予め構成されているので、UEが第1の指示情報を受信しないが、基地局が送信し、フィードバック情報であって基地局によって決定されたコードブックサイズをUEに通知するために使用される第2の指示情報を受信する場合には、UEは、対応するビットフィールドおよび予め構成された解析情報に従ってフィードバック情報のコードブックサイズを決定することができる。例えば、第2の指示情報が1ビットを用いて表される場合には、1ビットの2つの状態は別々に｛0，1｝であり、対応する解析情報は別々に｛第1のコードブックサイズ、第4のコードブックサイズ｝である。フィードバック情報のコードブックサイズが第1のコードブックサイズであると基地局が決定した場合には、基地局は、アップリンクスケジューリング情報（すなわち、第2の指示情報）の1ビットの状態を0に設定する。予め構成された情報に基づいて、UEが第2の指
示情報を受信した場合には、UEは、第2の指示情報に従って、フィードバック情報のコードブックサイズが第1のコードブックサイズであると決定することができる。
【０１１５】
さらに、本発明のこの実施形態では、UEが制御チャネルの検出に失敗する可能性があるために、UEと基地局がフィードバック情報のコードブックサイズの矛盾する理解を有するという問題を解決するために、符号化されたフィードバック情報は、異なるスクランブルコードを使用することによってスクランブルされるので、基地局は、異なるスクランブルコードを用いてスクランブル処理を行うことにより、フィードバック情報であって、UEがフィードバック情報を符号化するときに使用されるコードブックサイズを知ることができるこのようにして、基地局とUEがフィードバック情報のコードブックサイズの矛盾した理解を有するという問題が回避される。
【０１１６】
任意選択的に、ステップS204の前に、本方法は、基地局が、第1のスクランブルコードに対するデスクランブル処理を実行するステップであって、フィードバック情報のコードブックサイズが第1のコードブックサイズであることが決定された場合に、第1のスクランブルコードが、符号化されたフィードバック情報をスクランブルするためにUEによって使用される、ステップ、または、基地局が、第2のスクランブルコードに対するデスクランブル処理を実行するステップであって、フィードバック情報のコードブックサイズが第2のコードブックサイズであることが決定された場合に、第2のスクランブルコードが、符号化されたフィードバック情報をスクランブルするためにUEによって使用される、ステップをさらに含む。符号化されたフィードバック情報は、コードブックサイズに従ってUEによってフィードバック情報を符号化することにより得られた情報である。したがって、基地局は、異なるスクランブルコードを用いてデスクランブル処理を実行することにより、フィードバック情報であって、UEが決定したコードブックサイズを知ることができるので、UEと基地局は、コードブックサイズの一貫した理解を維持する。
【０１１７】
図3は、本発明によるUEの実施形態1の概略的な構成図である。図3に示すように、この実施形態において提供されるUE30は、受信モジュール301と、処理モジュール302と、送信モジュール303と、を含むことができる。
【０１１８】
受信モジュール301は、ダウンリンクデータを受信するように構成される。
【０１１９】
処理モジュール302は、ダウンリンクデータに対応するフィードバック情報をフィードバックするために使用されるアップリンクサブフレームを決定し、アップリンクサブフレームに関連する第1のダウンリンクサブフレーム集合を決定するように構成される。ダウンリンクデータは、受信モジュールによって受信され、第1のダウンリンクサブフレーム集合は、第1の部分集合および第2の部分集合を含み、第1の部分集合は第2の部分集合の真部分集合である。
【０１２０】
処理モジュール302は、フィードバック情報のコードブックサイズを決定するようにさらに構成される。コードブックサイズは、第1のコードブックサイズまたは第2のコードブックサイズであり、第1のコードブックサイズは、第1の部分集合に含まれるダウンリンクサブフレームの量に対応し、第2のコードブックサイズは、第2の部分集合に含まれるダウンリンクサブフレームの量に対応する。
【０１２１】
処理モジュール302は、符号化されたフィードバック情報を得るために、コードブックサイズに従ってフィードバック情報を符号化するようにさらに構成される。
【０１２２】
処理モジュール302は、符号化されたフィードバック情報を物理アップリンク共有チャネルPUSCHにマッピングし、符号化されたフィードバック情報を、PUSCHを用いてアップリンクサブフレームで送信するように送信モジュール303を制御するようにさらに構成される。
【０１２３】
送信モジュール303は、符号化されたフィードバック情報を、PUSCHを使用してアップリンクサブフレームで基地局に送信するように構成される。
【０１２４】
任意選択的に、処理モジュールは、基地局によって送信された第1の指示情報が受信され、第1の指示情報が第1のコードブックサイズを示す場合には、フィードバック情報のコードブックサイズが第1のコードブックサイズであることを決定し、または、基地局によって送信された第1の指示情報が受信され、第1の指示情報が第2のコードブックサイズを示す場合には、フィードバック情報のコードブックサイズが第2のコードブックサイズであることを決定し、または、第1の指示情報が受信されない場合には、フィードバック情報のコードブックサイズが第1のコードブックサイズであることを決定するように具体的に構成される。
【０１２５】
任意選択的に、処理モジュールは、基地局によって送信された第2の指示情報が受信され、第2の指示情報が第1のコードブックサイズを示す場合には、フィードバック情報のコードブックサイズが第1のコードブックサイズであることを決定し、または、基地局によって送信された第2の指示情報が受信され、第2の指示情報が第2のコードブックサイズを示す場合には、フィードバック情報のコードブックサイズが第2のコードブックサイズであることを決定し、または、第2の指示情報が受信されない場合には、フィードバック情報のコードブックサイズが所定のコードブックサイズであることを決定するように具体的に構成され、所定のコードブックサイズは、第1のコードブックサイズまたは第2のコードブックサイズである。
【０１２６】
任意選択的に、処理モジュールは、基地局によって送信された第1の指示情報および第2の指示情報が受信され、第1の指示情報および第2の指示情報が第1のコードブックサイズを示す場合には、フィードバック情報のコードブックサイズが第1のコードブックサイズであることを決定し、または、基地局によって送信された第1の指示情報および第2の指示情報が受信され、第1の指示情報および第2の指示情報が第2のコードブックサイズを示す場合には、フィードバック情報のコードブックサイズが第2のコードブックサイズであることを決定し、または、第1の指示情報が受信されない場合には、フィードバック情報のコードブックサイズが第1のコードブックサイズであることを決定し、または、第1の指示情報が受信されないが第2の指示情報が受信された場合には、フィードバック情報のコードブックサイズが第2の指示情報によって示される第1のコードブックサイズまたは第2のコードブックサイズであることを決定し、または、第1の指示情報および第2の指示情報が受信されない場合には、フィードバック情報のコードブックサイズが第1のコードブックサイズであることを決定するように具体的に構成される。
【０１２７】
任意選択的に、受信モジュールは、基地局によりスケジューリングされたダウンリンクサブフレームで、ダウンリンクデータを受信するように具体的に構成される。基地局によってスケジューリングされたダウンリンクサブフレームは、第2のダウンリンクサブフレーム集合を構成し、第2のダウンリンクサブフレーム集合は、第1のダウンリンクサブフレーム集合の部分集合である。
【０１２８】
処理モジュールは、第2のダウンリンクサブフレーム集合が第1の部分集合の部分集合である場合には、フィードバック情報のコードブックサイズが第1のコードブックサイズであることを決定する、または、第2のダウンリンクサブフレーム集合が、第2の部分集合内にあり、かつ第1の部分集合に属さないダウンリンクサブフレームのみを含む場合には、フィードバック情報のコードブックサイズが第1のコードブックサイズまたは第2のコードブックサイズであることを決定する、または、第2のダウンリンクサブフレーム集合が、第1の部分集合内のダウンリンクサブフレームと、第2の部分集合内にあり、かつ第1の部分集合に属さないダウンリンクサブフレームと、を含み、第2のダウンリンクサブフレーム集合が、第1の部分集合および第2の部分集合を超えるダウンリンクサブフレームを含まない場合には、フィードバック情報のコードブックサイズが第2のコードブックサイズであることを決定するように具体的に構成される。
【０１２９】
任意選択的に、処理モジュールは、コードブックサイズが第1のコードブックサイズである場合には第1のスクランブルコードを使用して、符号化されたフィードバック情報をスクランブルし、または、コードブックサイズが第2のコードブックサイズである場合には、第2のスクランブルコードを使用して、符号化されたフィードバック情報をスクランブルするようにさらに構成される。
【０１３０】
任意選択的に、処理モジュールは、コードブックサイズが第1のコードブックサイズである場合には、第1の符号化されたフィードバック情報を得るために、第1のコードブックサイズに従ってフィードバック情報を符号化し、基地局によって構成された第1の比例係数を決定し、第1の比例係数に従って第1のシンボル量を決定し、第1のシンボル量は、第1の符号化されたフィードバック情報をPUSCHにマッピングするために占有される必要があるシンボルの量であり、第1のシンボル量に従って第1の符号化されたフィードバック情報をPUSCHにマッピングするようにさらに構成され、または、処理モジュールは、コードブックサイズが第2のコードブックサイズである場合には、第2の符号化されたフィードバック情報を得るために、第2のコードブックサイズに従ってフィードバック情報を符号化し、基地局によって構成された第2の比例係数を決定し、第2の比例係数に従って第2のシンボル量を決定し、第2のシンボル量は、第2の符号化されたフィードバック情報をPUSCHにマッピングするために占有される必要があるシンボルの量であり、第2のシンボル量に従って第2の符号化されたフィードバック情報をPUSCHにマッピングするようにさらに構成される。
【０１３１】
任意選択的に、受信モジュールは、基地局によって送信されたダウンリンク制御情報を受信し、基地局によってスケジューリングされたダウンリンクサブフレームで、ダウンリンク制御情報に従ってダウンリンクデータを受信するようにさらに構成される。
【０１３２】
第1の指示情報は、ダウンリンク制御情報内の情報である。
【０１３３】
任意選択的に、第2の指示情報は、PUSCHをスケジューリングするために使用されるアップリンクスケジューリング情報内の情報である。
【０１３４】
この実施形態におけるUEは、本発明の通信システムにおける上記のフィードバック情報伝送方法の実施形態1における技術的解決策を実行するように構成することができる。実施原理およびその技術的効果は同様であり、ここでは詳細について再度説明しない。
【０１３５】
図4は、本発明によるUEの実施形態2の概略的な構成図である。図4に示すように、この実施形態において提供されるUE40は、プロセッサ401およびメモリ402を含むことができる。UE40は、データインターフェース部403をさらに含み、データインターフェース部403は、プロセッサ401に接続されてもよい。データインターフェース部403は、データまたは情報を送受信するように構成され、メモリ402は、実行命令を格納するように構成される。UE40が動作すると、プロセッサ401はメモリ402と通信し、プロセッサ401はメモリ402内の実行命令を呼び出して、通信システムにおける上記のフィードバック情報伝送方法の実施形態1の技術的解決策を実行する。実施原理およびその技術的効果は同様であり、ここでは詳細について再度説明しない。前述の処理モジュール302は、プロセッサ401によって実現することができる。上記の送信モジュール303および上記の受信モジュール301は、データインターフェース部403によって実現されてもよいし、トランシーバ、送信機、受信機などによって実現されてもよい。
【０１３６】
図5は、本発明による基地局の実施形態1の概略的な構成図である。図5に示すように、この実施形態で提供される基地局50は、送信モジュール501と、処理モジュール502と、受信モジュール503と、を含むことができる。
【０１３７】
送信モジュール501は、ダウンリンクデータをユーザ機器UEに送信するように構成される。
【０１３８】
処理モジュール502は、UEによって送信され、かつダウンリンクデータに対応するフィードバック情報を受信するために使用されるアップリンクサブフレームを決定するように構成される。ダウンリンクデータは、送信モジュールによって送信され、アップリンクサブフレームに関連する第1のダウンリンクサブフレーム集合は、第1の部分集合および第2の部分集合を含み、第1の部分集合は第2の部分集合の真部分集合である。
【０１３９】
処理モジュール502は、フィードバック情報のコードブックサイズを決定するようにさらに構成される。コードブックサイズは、第1のコードブックサイズまたは第2のコードブックサイズであり、第1のコードブックサイズは、第1の部分集合に含まれるダウンリンクサブフレームの量に対応し、第2のコードブックサイズは、第2の部分集合に含まれるダウンリンクサブフレームの量に対応する。
【０１４０】
受信モジュール503は、フィードバック情報であり、かつ処理モジュールによって決定されたコードブックサイズに従ってアップリンクサブフレームで、UEによって送信されて、物理アップリンク共有チャネルPUSCHにマッピングされるフィードバック情報を受信するように構成される。
【０１４１】
任意選択的に、送信モジュールは、フィードバック情報の決定されたコードブックサイズをUEに通知するために、第1の指示情報を送信するようにさらに構成され、または、送信モジュールが第1の指示情報をUEに送信しない場合には、処理モジュールは、フィードバック情報のコードブックサイズが第1のコードブックサイズであることを決定する。
【０１４２】
任意選択的に、送信モジュールは、フィードバック情報の決定されたコードブックサイズをUEに通知するために、第2の指示情報を送信するようにさらに構成され、または、送信モジュールが第2の指示情報をUEに送信しない場合には、処理モジュールは、フィードバック情報のコードブックサイズが所定のコードブックサイズであることを決定する。所定のコードブックサイズは、第1のコードブックサイズまたは第2のコードブックサイズである。
【０１４３】
任意選択的に、送信モジュールは、フィードバック情報の決定されたコードブックサイズをUEに通知するために、第1の指示情報および第2の指示情報を送信するようにさらに構成され、または、送信モジュールが第1の指示情報をUEに送信しない場合には、処理モジュールは、フィードバック情報のコードブックサイズが第1のコードブックサイズであることを決定し、または、送信モジュールが第1の指示情報をUEに送信しない場合には、送信モジュールは、フィードバック情報の決定されたコードブックサイズをUEに通知するために、第2の指示情報を送信し、または送信モジュールがUEに第1の指示情報を送信せず、第2の指示情報も送信しない場合には、処理モジュールは、フィードバック情報のコードブックサイズが第1のコードブックサイズであることを決定する。
【０１４４】
任意選択的に、処理モジュールは、第1のスクランブルコードに対するデスクランブル処理を実行するように構成され、フィードバック情報のコードブックサイズが第1のコードブックサイズであることが決定された場合に、第1のスクランブルコードは、符号化されたフィードバック情報をスクランブルするためにUEによって使用され、または、第2のスクランブルコードに対するデスクランブル処理を実行するように構成され、フィードバック情報のコードブックサイズが第2のコードブックサイズであることが決定された場合に、第2のスクランブルコードは、符号化されたフィードバック情報をスクランブルするためにUEによって使用される。
【０１４５】
符号化されたフィードバック情報は、コードブックサイズに従ってUEによってフィードバック情報を符号化することにより得られた情報である。
【０１４６】
任意選択的に、送信モジュールは、ダウンリンク制御情報をUEに送信し、基地局によってスケジューリングされたダウンリンクサブフレームでダウンリンクデータをUEに送信するようにさらに構成される。
【０１４７】
第1の指示情報は、ダウンリンク制御情報内の情報である。
【０１４８】
任意選択的に、第2の指示情報は、PUSCHをスケジューリングするために使用されるアップリンクスケジューリング情報内の情報である。
【０１４９】
この実施形態における基地局は、本発明の通信システムにおける上記のフィードバック情報伝送方法の実施形態2における技術的解決策を実行するように構成することができる。実施原理およびその技術的効果は同様であり、ここでは詳細について再度説明しない。
【０１５０】
図6は、本発明による基地局の実施形態2の概略的な構成図である。図6に示すように、この実施形態において提供される基地局60は、プロセッサ601およびメモリ602を含むことができる。基地局60は、データインターフェース部603をさらに含み、データインターフェース部603は、プロセッサ601に接続されてもよい。データインターフェース部603は、データまたは情報を送受信するように構成され、メモリ602は、実行命令を格納するように構成される。基地局60が動作すると、プロセッサ601はメモリ602と通信し、プロセッサ601はメモリ602内の実行命令を呼び出して、通信システムにおける上記のフィードバック情報伝送方法の実施形態2の技術的解決策を実行する。実施原理およびその技術的効果は同様であり、ここでは詳細について再度説明しない。
【０１５１】
メモリ602は、プログラムを格納する。具体的には、プログラムはプログラムコードを含み、プログラムコードはコンピュータ動作命令を含む。任意選択的に、メモリ602は、ランダムアクセスメモリ（random access memory、略してRAM）を含むことができ、不揮発性メモリ（non−volatile memory）、例えば、少なくとも1つの磁気ディスクメモリをさらに含むことができる。
【０１５２】
データインターフェース部603は、送受信部を含む。
【０１５３】
前述の処理モジュール502は、プロセッサ601によって実現されてもよい。上記の送信モジュール501および上記の受信モジュール503は、データインターフェース部603によって実現されてもよいし、トランシーバ、送信機、受信機などによって実現されてもよい。
【０１５４】
本発明のこの実施形態では、プロセッサは、中央処理装置（Central Processing Unit、略してCPU）、ネットワークプロセッサ（Network Processor、略してNP）などを含む汎用プロセッサであってもよいし、あるいは、デジタル信号プロセッサ（DSP）、特定用途向け集積回路（ASIC）、フィールドプログラマブルゲートアレイ（FPGA）、別のプログラマブルロジックコンポーネント、個別ゲート、トランジスタロジックコンポーネント、または個別ハードウェアコンポーネントであってもよい。
【０１５５】
当業者であれば、上記の方法の実施形態のステップのすべてまたは一部が、関連するハードウェアに命令するプログラムによって実現できることを理解できるであろう。プログラムは、コンピュータ可読記憶媒体に格納することができる。プログラムが実行されると、方法の実施形態のステップが実行される。上記の記憶媒体には、ROM、RAM、磁気ディスク、または光ディスクなどのプログラムコードを格納することができる任意の媒体が含まれる。
【０１５６】
最後に、上記の実施形態は、本発明を限定するものではなく、本発明の技術的解決策を説明するためのものに過ぎないことに留意されたい。本発明について上記の実施形態を参照して詳細に説明したが、当業者であれば、本発明の実施形態の技術的解決策の範囲から逸脱することなく、上記の実施形態に記載された技術的解決策に改変を行い、あるいはその複数またはすべての技術的特徴に等価な置換を行うことができることを理解すべきである。
【符号の説明】
【０１５７】
30  ユーザ機器（UE）
40  ユーザ機器（UE）
50  基地局
60  基地局
301  受信モジュール
302  処理モジュール
303  送信モジュール
401  プロセッサ
402  メモリ
403  データインターフェース部
501  送信モジュール
502  処理モジュール
503  受信モジュール
601  プロセッサ
602  メモリ
603  データインターフェース部
【図１】
0006478304.tif 000005
【図２】
0006478304.tif 000006
【図３】
0006478304.tif 000007
【図４】
0006478304.tif 000008
【図５】
0006478304.tif 000009
【図６】
0006478304.tif 000010